(57)【要約】【課題】IP電話機間と、それに関連する情報処理機器間とにセッションを確立する。【解決手段】情報処理装置(60)は、第1のIP電話機(10)の第1の電話識別及び第1アドレスと、第1の関連性識別(120)により第1のIP電話に関連づけられた第1の情報機器(30)の第1の機器識別及び第2アドレスと、第2のIP電話機(70)の第２の電話識別及び第3アドレスと、第2のIP電話機に関連づけられた第2の情報機器(80)の第2の機器識別及び第4アドレスとを登録情報として格納する。装置(60)は、第1のIP電話機又は第1の情報機器からのセッション確立の要求メッセージを受信した時、登録情報に基づいて、第1と第2のIP電話機の間のセッション確立を要求するメッセージを第1及び第3のIPアドレスを用いて送信して第1のIP電話機と2のＩＰ電話機の間にセッション(856)を確立し、第1と第2の情報機器の一方のIPアドレスを他方に通知して第1と第2の情報機器の間にセッション(876)を確立する(838,842)。【選択図】図１
2007312345.tif 000002
【特許請求の範囲】
【請求項１】
ＩＰネットワークに接続される、呼制御および管理を行う呼制御管理情報処理装置、非接触情報記憶装置および／または非接触読取り書込み装置を有する第１のＩＰ電話機、非接触読取り書込み装置および／または非接触情報記憶装置を有する第１の情報処理機器、第２のＩＰ電話機および第２の情報処理機器を含むシステムであって、
前記呼制御管理情報処理装置は、前記第１のＩＰ電話機の第１の電話機識別情報および第１のＩＰアドレスと、第１の関連性識別情報によって前記第１のＩＰ電話機に関連づけられた前記第１の情報処理機器の第１の機器識別情報および第２のＩＰアドレスと、前記第２のＩＰ電話機の第２の電話機識別情報および第３のＩＰアドレスと、前記第２のＩＰ電話機に関連づけられた前記第２の情報処理機器の第２の機器識別情報および第４のＩＰアドレスとを、登録情報として格納し、
前記呼制御管理情報処理装置は、前記第１のＩＰ電話機または前記第１の情報処理機器からのセッション確立を要求するメッセージを受信したとき、前記登録情報に基づいて、前記第１のＩＰ電話機と前記第２のＩＰ電話機の間のセッション確立を要求するメッセージを前記第１のＩＰ電話機の前記第１のＩＰアドレスおよび前記第２のＩＰ電話機の前記第３のＩＰアドレスを用いて送信して、前記第１のＩＰ電話機と前記第２のＩＰ電話機の間にセッションを確立し、前記登録情報に基づいて、前記第１と第２の情報処理機器のうちの一方の情報処理機器のＩＰアドレスをその他方の情報処理機器に通知して前記第１の情報処理機器と前記第２の情報処理機器の間にセッションを確立するよう構成されていることを特徴とする、システム。
【請求項２】
前記第１の関連性識別情報は前記第１のＩＰ電話機の非接触情報記憶装置に格納されており、
前記第１の関連性識別情報は、前記第１の情報処理機器の非接触読取り書込み装置によって読み取られ、前記第１の情報処理機器は、前記第１の関連性識別情報および前記第１の情報処理機器の第１の機器識別情報を前記呼制御管理情報処理装置に送信するものであることを特徴とする、請求項１に記載のシステム。
【請求項３】
前記第１の関連性識別情報は前記第１の情報処理機器の非接触情報記憶装置に格納されており、
前記第１の関連性識別情報は、前記第１のＩＰ電話機の非接触読取り書込み装置によって読み取られ、前記第１のＩＰ電話機は、前記第１の関連性識別情報および前記第１のＩＰ電話機の第１の電話機識別情報を前記呼制御管理情報処理装置に送信するものであることを特徴とする、請求項１に記載のシステム。
【請求項４】
前記メッセージが前記第１のＩＰ電話機と前記第２のＩＰ電話機の間にセッションを確立する要求であった場合は、前記呼制御管理情報処理装置は、前記登録情報に基づいて、前記第１のＩＰ電話機と前記第２のＩＰ電話機の間にセッションを確立し、さらに前記第１の情報処理機器と前記第２の情報処理機器の間にセッションを確立することを特徴とする、請求項１乃至３のいずれかに記載のシステム。
【請求項５】
前記メッセージが前記第１の情報処理機器と前記第２の情報処理機器の間にセッションを確立する要求であった場合は、前記呼制御管理情報処理装置は、前記登録情報に基づいて、前記第１の情報処理機器と前記第２の情報処理機器の間にセッションを確立し、さらに前記第１のＩＰ電話機と前記第２のＩＰ電話機の間にセッションを確立することを特徴とする、請求項１乃至３のいずれかに記載のシステム。
【請求項６】
前記メッセージが前記第１のＩＰ電話機と前記第２のＩＰ電話機の間にセッションを確立する要求であった場合は、前記呼制御管理情報処理装置は、前記登録情報に基づいて、前記第１のＩＰ電話機と前記第２のＩＰ電話機の間にセッションを確立し、
その後、前記第１のＩＰ電話機と前記第１の情報処理機器とが接近して前記第１のＩＰ電話機または前記第１の情報処理機器の非接触情報記憶装置の前記第１の関連性識別情報が前記第１の情報処理機器または前記第１のＩＰ電話機の非接触読取り書込み装置によって検出された場合に、前記第１の情報処理機器または前記第１のＩＰ電話機は、前記第１のＩＰ電話機と前記第１の情報処理機器の接近を表す接近情報を前記呼制御管理情報処理装置に送信し、
前記呼制御管理情報処理装置は、前記接近情報の受信に応答して、前記登録情報に基づいて、前記第１の情報処理機器と前記第２の情報処理機器の間にセッションを確立するよう構成されていることを特徴とする、請求項１乃至３のいずれかに記載のシステム。
【請求項７】
前記システムは、さらに、非接触読取り書込み装置および／または非接触情報記憶装置を有する第３の情報処理機器を含み、
前記第１のＩＰ電話機と前記第２のＩＰ電話機の間にセッションが確立されている期間に、前記第１のＩＰ電話機と前記第３の情報処理機器とが接近して前記第１のＩＰ電話機の非接触情報記憶装置の前記第１の関連性識別情報が前記第３の情報処理機器の非接触読取り書込み装置によって検出されまたは前記第３の情報処理機器の非接触情報記憶装置の第２の関連性識別情報が前記第１のＩＰ電話機の非接触読取り書込み装置によって検出された場合に、前記第３の情報処理機器または前記第１のＩＰ電話機は、前記第１のＩＰ電話機と前記第３の情報処理機器の接近を表す接近情報を前記呼制御管理情報処理装置に送信し、
前記呼制御管理情報処理装置は、前記接近情報の受信に応答して、前記登録情報に基づいて、前記第１の情報処理機器および前記第２の情報処理機器と前記第３の情報処理機器との間にセッションを確立することを特徴とする、請求項１乃至３のいずれかに記載のシステム。
【請求項８】
前記システムは、さらに、非接触読取り書込み装置および／または非接触情報記憶装置を有する第３の情報処理機器を含み、
前記第１のＩＰ電話機と前記第２のＩＰ電話機の間にセッションが確立されている期間に、前記第１のＩＰ電話機と前記第３の情報処理機器とが接近して前記第１のＩＰ電話機の非接触情報記憶装置の前記第１の関連性識別情報が前記第３の情報処理機器の非接触読取り書込み装置によって検出されまたは前記第３の情報処理機器の非接触情報記憶装置の第２の関連性識別情報が前記第１のＩＰ電話機の非接触読取り書込み装置によって検出された場合に、前記第３の情報処理機器または前記第１のＩＰ電話機は、前記第１のＩＰ電話機と前記第３の情報処理機器の接近を表す接近情報を前記呼制御管理情報処理装置に送信し、
前記呼制御管理情報処理装置は、前記接近情報の受信に応答して、前記登録情報に基づいて、前記第１の情報処理機器および前記第２の情報処理機器と前記第３の情報処理機器の間にセッションを確立するのを許可するかどうかの問い合わせを前記第１の情報処理機器または前記ＩＰ電話機に送信し、前記問い合わせに対して前記第１の情報処理機器または前記ＩＰ電話機から許可を受信したことに応答して、前記第３の情報処理機器にセッションを確立させることを特徴とする、請求項１乃至６のいずれかに記載のシステム。
【請求項９】
ＩＰネットワークに接続される、呼制御および管理を行う呼制御管理情報処理装置、第１の非接触情報記憶装置を有する第１のＩＰ電話機、第２のＩＰ電話機、第１の非接触読取り書込み装置を有する第１の情報処理機器、第２の情報処理機器、および第２の非接触読取り書込み装置を有する第３の情報処理機器を含むシステムであって、
前記呼制御管理情報処理装置は、前記第１のＩＰ電話機の第１の電話機識別情報および第１のＩＰアドレスと、前記第１の非接触情報記憶装置の第１の関連性識別情報によって前記第１のＩＰ電話機に関連づけられた前記第１の情報処理機器の第１の機器識別情報および第２のＩＰアドレスと、前記第２のＩＰ電話機の第２の電話機識別情報および第３のＩＰアドレスと、前記第２のＩＰ電話機に関連づけられた前記第２の情報処理機器の第１の機器識別情報および第４のＩＰアドレスと、前記第１の関連性識別情報によって前記第１のＩＰ電話機に関連づけられた前記第３の情報処理機器の第３の機器識別情報および第５のＩＰアドレスと、を登録情報として格納し、
前記第１のＩＰ電話機と前記第１の情報処理機器および前記第３の情報処理機器とが接近して前記第１の非接触情報記憶装置の前記第１の関連性識別情報が前記第１と第２の非接触読取り書込み装置によって検出された場合に、前記第１の情報処理機器および前記第３の情報処理機器は、前記第１のＩＰ電話機への接近を表す接近情報を前記呼制御管理情報処理装置に送信し、
前記呼制御管理情報処理装置は、前記接近情報を前記登録情報の一部として格納し、
前記呼制御管理情報処理装置は、前記第１のＩＰ電話機または前記第１の情報処理機器からセッション確立を要求するメッセージを受信したとき、前記登録情報に基づいて、前記第１のＩＰ電話機と前記第２のＩＰ電話機の間のセッション確立を要求するメッセージを前記第１のＩＰ電話機の前記第１のＩＰアドレスおよび前記第２のＩＰ電話機の前記第３のＩＰアドレスを用いて送信して、前記第１のＩＰ電話機と前記第２のＩＰ電話機の間にセッションを確立し、前記登録情報に基づいて、前記第１、第２および第３の情報処理機器のうちの一方の情報処理機器のＩＰアドレスをその他方の情報処理機器に通知して、前記第１の情報処理機器、前記第２の情報処理機器および前記第３の情報処理機器の間にセッションを確立するよう構成されていることを特徴とする、システム。
【請求項１０】
ＩＰネットワークを介して第１のＩＰ電話機と第２のＩＰ電話機の間にセッションを確立し、前記ＩＰネットワークを介して第１の情報処理機器と第２の情報処理機器の間にセッションを確立させる呼制御管理情報処理装置であって、
前記第１のＩＰ電話機は非接触情報記憶装置および／または非接触読取り書込み装置を有し、前記第１の情報処理機器は、非接触読取り書込み装置および／または非接触情報記憶装置を有するものであり、
前記第１のＩＰ電話機の第１の電話機識別情報および第１のＩＰアドレスと、第１の関連性識別情報によって前記第１のＩＰ電話機に関連づけられた前記第１の情報処理機器の機器識別情報および第２のＩＰアドレスと、前記第２のＩＰ電話機の電話機識別情報および第３のＩＰアドレスと、前記第２のＩＰ電話機に関連づけられた前記第２の情報処理機器の機器識別情報および第４のＩＰアドレスとを、登録情報として格納する記憶手段と、
前記第１のＩＰ電話機または前記第１の情報処理機器からのセッション確立を要求するメッセージを受信したとき、前記登録情報に基づいて、前記第１のＩＰ電話機と前記第２のＩＰ電話機の間のセッション確立を要求するメッセージを前記第１のＩＰ電話機の前記第１のＩＰアドレスおよび前記第２のＩＰ電話機の前記第３のＩＰアドレスを用いて送信して、前記第１のＩＰ電話機と前記第２のＩＰ電話機の間にセッションを確立し、前記登録情報に基づいて、前記第１と第２の情報処理機器のうちの一方の情報処理機器のＩＰアドレスをその他方の情報処理機器に通知して前記第１の情報処理機器と前記第２の情報処理機器の間にセッションを確立するよう構成されているセッション処理手段と、
を具えることを特徴とする、呼制御管理情報処理装置。
【発明の詳細な説明】
【技術分野】
【０００１】
本発明は、非接触情報記憶装置を用いたＩＰネットワーク上でのＩＰ電話機の接続に関し、特に、ＩＰネットワーク上でＩＰ携帯電話機とＲＦ  ＩＤタグによって対応づけられた情報処理機器とを呼制御管理サーバを用いて、ＩＰ電話間でセッションを確立し情報処理機器間のＰ２Ｐのセションを確立させるシステムに関する。
【背景技術】
【０００２】
インターネットを介した２つのＩＰ電話機の間でのインターネット電話通信を提供するＶｏＩＰ（Voice over IP）通信は公知である。
【０００３】
特開２００３−６９６０２号（Ａ）には、ＩＰ電話システムが記載されている。このシステムでは、ＩＰ電話クライアントＡは、ＩＰ電話クライアントＢのＩＰ電話アドレスを含む発呼制御パケットを送信する。これを受信したＩＰ電話サーバＡは、クライアントＡの非固定ＩＰアドレスをＩＰ電話終了までは保持させる手続きを行い、そのパケットをクライアントＢ側のＩＰ電話サーバＢへ送信する。これを受信したサーバＢは、クライアントＢの非固定ＩＰアドレスをＩＰ電話終了までは保持させる手続きを行い、該パケットをクライアントＢへ送信する。これを受信したクライアントＢは、着信があった旨を所定の形態でユーザへ通知し、ユーザから着信に応答すべき指示が与えられたならば、発呼制御パケットに対する応答パケットをクライアントＡへ送信する。
【特許文献１】特開２００３−６９６０２号
【０００４】
特開２００３−２８３６７０号（Ａ）には、音声系とデータ系のシステムを統合したＶｏＩＰコンタクト・センタ・システムが記載されている。このＶｏＩＰコンタクト・センタ・システムでは、メインセンタにのみ設置される交換機に、音声系サービス装置とデータ系サービス装置を相互接続し、得られる音声をＩＰ化してデータと統合してサテライトセンタ、在宅サテライトセンタへ供給することにより、例えば、顧客がオペレータと同じウェブ画面を見ながら音声で説明を受けるサービスを実現する。
【特許文献２】特開２００３−２８３６７０号
【０００５】
特開２００４−２８２２４８号（Ａ）には、情報処理システムが記載されている。この情報処理システムにおいて、２つのＰＤＡはそれぞれのアクセスポイントに無線接続し、ＶｏＩＰ網を使って音声による対話すなわち音声通話を行う。２つのＰＤＡは、ＲＦ  ＩＤを用いてＰＣと接続した後、ローカル無線通信部およびインターネットを介してそれぞれのＰＣとの間でデータのパケットを交換する。
【特許文献３】特開２００４−２８２２４８号
【０００６】
特開２００５−２６８９５４号（Ａ）には、ＣＴＩシステムが記載されている。このＣＴＩシステムは、ＩＤタグを具備する電話機端末と、その電話機端末を制御するサーバ付き主装置と、そのサーバ付き主装置との通信手段を有し、ＩＤリーダを具備する情報処理端末とを、含む。その情報処理端末とその電話機端末とを近接させ、そのＩＤリーダとそのＩＤタグとを近接させ、それによって、その情報処理端末のＩＤリーダは、非接触でその電話機端末のＩＤタグのＩＤ情報を読み取り、その情報処理端末は、その通信手段により、そのＩＤリーダが読み取ったＩＤ情報を、そのサーバ付き主装置に通知し、そのサーバ付き主装置は、そのＩＤ情報によって、その情報処理端末とその電話機端末を関連付け、そのサーバ付き主装置は、その情報処理端末の要求により、関連付けられた電話機端末の呼制御を行う。それによって、情報処理端末と電話機端末の関連付けを動的に行える。
【特許文献４】特開２００５−２６８９５４号
【０００７】
特開２００５−３２３１７２号（Ａ）には、ＲＦ  ＩＤタグを用いたネットワーク・システムが記載されている。そのネットワーク・システムは、ＲＦ  ＩＤタグと無線通信を行うことによってユーザの位置情報を取得するＲＦＩＤタグリーダを備えたパーソナル・コンピュータと、その位置情報と利用可能な機器のアドレスとを対応付けて管理するロケーションサーバと、ＥＮＵＭ機能によりユーザと関連のある機器を特定するＥＮＵＭ  ＤＮＳとを具備し、パーソナル・コンピュータが特定された機器と通信を行う。ＥＮＵＭを用いることによって、サーバの改修を必要とすることなく、着信側の位置情報を的確に把握し、その位置情報に基づいて通信を確立することができる。
【特許文献５】特開２００５−３２３１７２号
【０００８】
ＩＰ電話機は、ネットワーク上の呼制御管理サーバ経由で呼制御を行う。呼制御のために、プロトコルとしてＳＩＰ（Session Initiation Protocol）またはＨ．３２３等が用いられる。ＩＰ電話機は、通話開始時には、典型的には、ＳＩＰサーバ機能を有する呼制御管理サーバを介してセッションの確立を行い、セッション確立後には、ＩＰ電話機間でＰ２Ｐ（ピア・ツー・ピア）の音声パケットの交換を行う。
【発明の開示】
【発明が解決しようとする課題】
【０００９】
２人のユーザのＩＰ電話機を相互接続し、その双方のユーザのパーソナル・コンピュータ（ＰＣ）間でＰ２Ｐ通信のセッションを確立すれば、双方のユーザはウェブ・ページおよびアプリケーションで作成されたファイルなどの同じ資料を見ながら、それらの電話機で通話することができる。しかし、そのためにはＰＣ間のセッションを別に確立させなければならないという煩わしさがあった。
【００１０】
２つのＩＰ電話機を相互接続し、その双方のユーザのパーソナル・コンピュータ（ＰＣ）間でＰ２Ｐのセッションを確立する技術は、平成１７年５月１３日付けの先の特許出願：特願２００５−１４０６９５号（２００５年９月１６日付け米国出願No. 11/227,209）に開示されている。ここで、この出願を引用して組み込む。
【００１１】
発明者は、２つのＩＰ電話機の間のセッションを確立し、それと同時にまたはその前もしくは後にそれらの電話機に対応する情報処理装置間のＰ２Ｐのセッションを簡単に確立することができるようにすると有利であると認識した。
【００１２】
本発明の１つの目的は、ＩＰネットワーク上で、ＩＰ電話機間のセッションの確立と同時にまたはその前もしくは後に、ＩＰ電話機に対応する情報処理装置間のＰ２Ｐのセッションを簡単に確立できるようにすることである。
【課題を解決するための手段】
【００１３】
本発明の１つの特徴によれば、システムは、ＩＰネットワークに接続される、呼制御および管理を行う呼制御管理情報処理装置、非接触情報記憶装置および／または非接触読取り書込み装置を有する第１のＩＰ電話機、非接触読取り書込み装置および／または非接触情報記憶装置を有する第１の情報処理機器、第２のＩＰ電話機および第２の情報処理機器を含む。前記呼制御管理情報処理装置は、前記第１のＩＰ電話機の第１の電話機識別情報および第１のＩＰアドレスと、第１の関連性識別情報によって前記第１のＩＰ電話機に関連づけられた前記第１の情報処理機器の第１の機器識別情報および第２のＩＰアドレスと、前記第２のＩＰ電話機の第２の電話機識別情報および第３のＩＰアドレスと、前記第２のＩＰ電話機に関連づけられた前記第２の情報処理機器の第２の機器識別情報および第４のＩＰアドレスとを、登録情報として格納する。前記呼制御管理情報処理装置は、前記第１のＩＰ電話機または前記第１の情報処理機器からのセッション確立を要求するメッセージを受信したとき、前記登録情報に基づいて、前記第１のＩＰ電話機と前記第２のＩＰ電話機の間のセッション確立を要求するメッセージを前記第１のＩＰ電話機の前記第１のＩＰアドレスおよび前記第２のＩＰ電話機の前記第３のＩＰアドレスを用いて送信して、前記第１のＩＰ電話機と前記第２のＩＰ電話機の間にセッションを確立し、前記登録情報に基づいて、前記第１と第２の情報処理機器のうちの一方の情報処理機器のＩＰアドレスをその他方の情報処理機器に通知して前記第１の情報処理機器と前記第２の情報処理機器の間にセッションを確立するよう構成されている。
【００１４】
本発明は、また上述の呼制御管理情報処理装置に関し、さらに上述の呼制御管理情報処理装置を実現するプログラムおよび方法に関する。
【発明の効果】
【００１５】
本発明によれば、ＩＰネットワーク上で、ＩＰ電話機間のセッションの確立と同時にまたはその前もしくは後に、ＩＰ電話機に関連する情報処理装置間のセッションを確立することができる。
【発明を実施するための最良の形態】
【００１６】
本発明の実施形態を図面を参照して説明する。図面において、同様の構成要素には同じ参照番号が付されている。
【００１７】
図１は、本発明の実施形態による、ＩＰネットワーク（ＩＰ  ＮＷ）５上で呼の制御および管理を行う呼制御管理サーバ６０と、或るエリア１および２のアクセス・ポイント（ＡＰ）５０および５２を介してＩＰネットワーク５に接続できるユーザＡのＩＰ携帯電話機１０と、エリア１に位置しＩＰネットワーク５に接続される情報処理機器３０と、エリア２に位置しハブ５３を介してＩＰネットワーク５に接続される情報処理機器３２と、別のエリア３に位置しＩＰネットワーク５に接続されたユーザＢのＩＰ電話機７０および情報処理機器８０と、からなるシステムを示している。ＩＰネットワーク５は、典型的にはインターネットであり、ＬＡＮ、イントラネット、ＩＳＤＮ、ＰＳＴＮまたはケーブル・テレビジョン・ネットワーク等を含んでいてもよい。ユーザＡのＩＰ携帯電話機１０は、エリア１、エリア２およびその他のエリアに移動できる。さらに、エリア２には、ユーザＣの情報処理機器３４が入ってもよい。
【００１８】
図１において、ＩＰ携帯電話機１０は、内部バスに接続され得るＲＦ  ＩＤタグ１２０を有する。情報処理機器３０は、これに接続されたＲＦ  ＩＤタグ用のリーダ／ライタ装置（Ｒ／Ｗ）３４０を有する。情報処理機器３２は、外部インタフェースを介して内部バスに接続されたＲＦ  ＩＤタグ用のリーダ／ライタ装置３４２を有する。情報処理機器３４は、これに接続されたＲＦ  ＩＤタグ用のリーダ／ライタ装置３４４を有する。リーダ／ライタ装置３４０、３４２および３４４は、ＲＦ  ＩＤタグ１２０に対して情報の読み取りおよび書き込みを行う。ＩＰ電話機７０は、同様のＲＦ  ＩＤタグ（図示せず）を有し、ＩＰ携帯電話機であってもよい。情報処理機器８０は、ＲＦ  ＩＤタグ用の同様のリーダ／ライタ装置（図示せず）を有する。情報処理機器３０〜３４および８０は、携帯型の機器であってもよい。
【００１９】
図２は、図１の実施形態の変形であり、本発明の別の実施形態による別のシステムを示している。この場合、ＩＰ携帯電話機１０は、内部バスに接続されたＲＦ  ＩＤタグ用のリーダ／ライタ装置（Ｒ／Ｗ）１４０を有する。情報処理機器３０は、内部バスに接続されたＲＦ  ＩＤタグ３２０を有する。情報処理機器３２は、ＲＦ  ＩＤタグ３２２を有する。情報処理機器３４は、ＲＦ  ＩＤタグ３２４を有する。リーダ／ライタ装置１４０は、ＲＦ  ＩＤタグ３２０および３２２に対して情報の読み取りおよび書き込みを行う。ＩＰ電話機７０は、ＲＦ  ＩＤタグ用の同様のリーダ／ライタ装置（図示せず）を有する。情報処理機器８０は同様のＲＦ  ＩＤタグ（図示せず）を有する。
【００２０】
図３は、図１および２の実施形態を組み合わせた別の変形であり、本発明のさらに別の実施形態による別のシステムを示している。この場合、ＩＰ携帯電話機１０は、ＲＦ  ＩＤタグ１２０と、ＲＦ  ＩＤタグ用のリーダ／ライタ装置（Ｒ／Ｗ）１４０とを有する。情報処理機器３０は、ＲＦ  ＩＤタグ３２０と、ＲＦ  ＩＤタグ用のリーダ／ライタ装置（Ｒ／Ｗ）３４０とを有する。情報処理機器３２は、ＲＦ  ＩＤタグ３２２と、ＲＦ  ＩＤタグ用のリーダ／ライタ装置３４２とを有する。情報処理機器３４は、ＲＦ  ＩＤタグ３２４と、ＲＦ  ＩＤタグ用のリーダ／ライタ装置３４４とを有する。ＩＰ電話機７０は、ＲＦ  ＩＤタグ（図示せず）と、ＲＦ  ＩＤタグ用のリーダ／ライタ装置（図示せず）とを有する。情報処理機器８０は、ＲＦ  ＩＤタグ（図示せず）と、ＲＦ  ＩＤタグ用のリーダ／ライタ装置（図示せず）とを有する。
【００２１】
図４は、図１〜３のＩＰ携帯電話機１０およびＩＰ電話機７０の各々の概略的な構成を示している。ＩＰ携帯電話機１０およびＩＰ電話機７０の各々は、さらに、内部バスに接続された、ネットワーク・インタフェース（ＮＷ  Ｉ／Ｆ）１０１と、プロセッサ１０２、記憶装置１０３と、表示装置１０４２に接続された表示制御部１０４と、キー（ＫＹ）１０５と、フックスイッチ（ＨＫ）１０６と、レシーバ（受音器）（ＲＣ）１０７３、スピーカ（ＳＰ）１０７４およびマイクロホン（ＭＣ）１０７６に接続された音響制御部１０７とを含んでいる。ＩＰ携帯電話機１０のネットワーク・インタフェース１０１は、アクセス・ポイント５０および５２との無線送受信機能を含み、アクセス・ポイント５０および５２を介してＩＰネットワーク５に接続される。ＩＰ電話機７０のネットワーク・インタフェース１０１は、ＩＰネットワーク５に接続されている。プロセッサ１０２は、記憶装置１０３に格納されたプログラムに従って動作する。プロセッサ１０２は、そのプログラムの機能の少なくとも一部をハードウェアの形態で実装していてもよい。そのプログラムには、ＩＰ携帯電話機１０またはＩＰ電話機７０のＩＰアドレスを登録し、および場合によっては情報処理機器３０、３２および３４のＩＰアドレスを登録するためのＩＰアドレス登録用アプリケーション・プログラムが含まれている。
【００２２】
記憶装置１０３に格納されたプロセッサ１０２用のソフトウェアは、ネットワーク・インタフェース１０１と交信するインターネット・プロトコル（ＩＰ）と、インターネット・プロトコル（ＩＰ）の上に構築されたＴＣＰ／ＵＤＰと、さらにＴＣＰ／ＵＤＰ上で動作する呼制御プロトコル、パケット処理部、パケット処理部から受け取ったパケットを復号する音声コーデック、音声信号を符号化してパケット処理部に供給する音声コーデック、エコーキャンセラ、レシーバに音声信号を供給するＤ／Ａ変換、マイクロホンから音声信号を受け取るＡ／Ｄ変換、およびＤＮＳ（Domain Name System）等用のプログラム等を含んでいる。
【００２３】
図５は、情報処理機器３０、３２および８０の各々の概略的な構成を示している。情報処理機器３０、３２および８０の各々は、さらに、内部バスに接続された、ネットワーク・インタフェース（ＮＷ  Ｉ／Ｆ）３０１と、プロセッサ３０２と、記憶装置３０３と、表示装置３０４と、入力装置３０６と、リーダ／ライタ装置が接続される外部インタフェース（Ｉ／Ｆ）３３８とを含んでいる。ネットワーク・インタフェース３０１はＩＰネットワーク５にも接続されている。プロセッサ３０２は、記憶装置３０３に格納されたプログラムに従って動作する。そのプログラムには、Ｐ２Ｐ通信またはＶＮＣ（仮想ネットワーク・コンピューティング）で利用するアプリケーション・プログラムが含まれ、各情報処理機器３０、３２または８０自身のＩＰアドレスを登録するためのＩＰアドレス登録用アプリケーション・プログラムが含まれている。プロセッサ３０２は、そのプログラムの機能の少なくとも一部をハードウェアの形態で実装していてもよい。情報処理機器３０、３２または８０は、パーソナル・コンピュータ（ＰＣ）またはＰＤＡ（Personal Digital Assistant）であってもよい。
【００２４】
図６は、呼制御管理サーバ６０の概略的な構成を示している。呼制御管理サーバ６０は、内部バスに接続された、ネットワーク・インタフェース（ＮＷ  Ｉ／Ｆ）６１と、プロセッサ６２と、記憶装置６３とを含んでいる。ネットワーク・インタフェース６１はＩＰネットワーク５にも接続されている。プロセッサ６２は、記憶装置６３に格納された呼制御および管理用のプログラムに従って動作する。プロセッサ６２は、そのプログラムの機能の少なくとも一部をハードウェアの形態で実装していてもよい。この実施形態では、呼制御プロトコルとしてＳＩＰプロトコルを用いるものとする。
【００２５】
図１〜３の構成において、ＩＰ携帯電話機１０のプロセッサ１０２は、ユーザの操作に従って、その電話機のＩＰアドレスをＩＰネットワーク５を介して呼制御管理サーバ６０へ登録する処理を行う。図２の構成において、ＩＰ携帯電話機１０（プロセッサ１０２）は、さらに、リーダ／ライタ装置１４０がその付近の情報処理機器３０、３２または３４のＲＦ  ＩＤタグ３２０、３２２または３２４を検出したときに、ＩＰ携帯電話機１０に関連づけてその情報処理機器のＩＰアドレスおよびタグＩＤを呼制御管理サーバ６０へ登録してもよい。ＩＰ電話機７０もＩＰ携帯電話機１０と同様に登録を行う。
【００２６】
図１の構成において、情報処理機器３０、３２、３４および８０の各々のプロセッサ３０２は、ユーザの操作に従って、その情報処理機器のＩＰアドレスを呼制御管理サーバ６０へ登録する処理を行う。情報処理機器３０〜３４の各々のプロセッサ３０２は、そのリーダ／ライタ装置３４０、３４２または３４４がＩＰ携帯電話機１０のＲＦ  ＩＤタグ１２０を検出したときに、ＩＰ携帯電話機１０に関連づけてその情報処理機器のＩＰアドレスおよびその電話機のタグＩＤを呼制御管理サーバ６０へ登録する処理を行ってもよい。情報処理機器８０は、ＲＦ  ＩＤタグを用いて同様にまたはＲＦ  ＩＤタグを用いずに、ＩＰ電話機７０に関連づけて情報処理機器８０のＩＰアドレスおよびタグＩＤを呼制御管理サーバ６０へ登録してもよい。
【００２７】
図７は、ＩＰ携帯電話機１０およびＩＰ電話機７０の各々のプロセッサ１０２および情報処理機器３０〜３４および８０の各々のプロセッサ３０２によって登録アプリケーションを用いて実行される、そのＩＰアドレスを登録するためのフローチャートを示している。
【００２８】
図７を参照すると、ステップ４０２において、Ｐ携帯電話機１０およびＩＰ電話機７０の各々のプロセッサ１０２および情報処理機器３０〜３４および８０の各々のプロセッサ３０２は、登録アプリケーションに従って、ユーザによって登録のための入力装置または入力キー（１０５、３０６）が操作されたとき、ＩＰネットワーク５を介してその電話機または情報処理機器を呼制御管理サーバ６０に接続して、その登録名、ＩＰアドレス（例えば、１０．１０．１０．１）、ユーザ名およびタグＩＤ等を呼制御管理サーバ６０に登録しまたは更新する。呼制御管理サーバ６０のプロセッサ６２は、そのＩＰ携帯電話機１０、ＩＰ電話機７０および情報処理機器３０〜３４および８０の登録名、ＩＰアドレス、ユーザ名およびタグＩＤ等を記憶装置６３内の登録テーブルまたはデータベース（ＤＢ）に格納しまたは更新する。その後、ステップ４０４において、プロセッサ１０２または３０２は、ＩＰ携帯電話機１０、ＩＰ電話機７０または情報処理機器３０〜３４または８０のＩＰアドレスが変更されたかどうかを判定する。ＩＰアドレスが変更されるまでステップ４０４が繰り返される。ステップ４０４においてＩＰアドレスが変更されたと判定された場合は、手順はステップ４０２に戻る。
【００２９】
呼制御管理サーバ６０へ登録される情報には、情報機器３０〜３４および８０の情報処理機器のタイプ（例えば、ＰＣおよびＰＤＡ）、利用可能なアプリケーション識別（例えば、Ａｐｐ１およびＡｐｐ２）、ディスプレイ解像度（例えば、８００×６００（ＳＶＧＡ）、１０２４×７６８（ＸＧＡ）、３２０×２４０（ＱＶＧＡ）、４８０×６４０（ＶＧＡ））、などのプロパティ情報が含まれていてもよい。その利用可能なアプリケーションは、例えば、或る情報処理機器におけるディスプレイ上の表示情報を別の情報処理機器に転送して表示し、別の情報処理機器から受信した表示情報をその或る情報処理機器のディスプレイに表示する機能を有する周知のアプリケーションであり、あるいは、情報処理機器間で、一時的にＰ２Ｐのセッションを確立し、双方でファイルを共有する機能を有する周知のアプリケーションであればよい。
【００３０】
図８Ａは、図１のＩＰ携帯電話機１０および情報処理機器３０による呼制御管理サーバ６０への登録の通信手順を示している。
【００３１】
手順７０２においてユーザＡの操作によって登録アプリケーションを用いてＩＰ携帯電話機１０の登録が開始され、ユーザＡはキー１０５を用いてＩＰ携帯電話機１０の登録名およびユーザ名をＩＰ携帯電話機１０に入力する。手順７０４において、ＩＰ携帯電話機１０（プロセッサ１０２）は、ＩＰパケット中で登録項目を含むテキスト形式のＲＥＧＩＳＴＥＲ（レジスタ）のＳＩＰメッセージを呼制御管理サーバ６０に送信する。そのＳＩＰメッセージは、リクエスト・ラインとして“ＲＥＧＩＳＴＥＲ”（レジスタ）、ヘッダ・フィールドとして所定の制御情報（例えば、ＦｒｏｍヘッダおよびＴｏヘッダとして登録名（電話機名称）およびＩＰアドレスを含むＳＩＰ  ＵＲＩ“ｓｉｐ：ＩＰ−Ｐｈｎ１＠１０．１０．１０．１”）、ボディとしてＩＰ携帯電話機１０のＲＦ  ＩＤタグ１２０のタグＩＤおよびユーザ名“Ａ”を含んでいる。
【００３２】
手順７０６において、呼制御管理サーバ６０（プロセッサ６２）は、記憶装置６３の登録テーブルまたはデータベース（ＤＢ）に、ＩＰ携帯電話機１０の登録名（電話機名称）、ＩＰアドレス、ユーザ名およびタグＩＤを保存する。
【００３３】
手順７０８において、呼制御管理サーバ６０（プロセッサ６２）は、ＩＰパケット中で２００  ＯＫのＳＩＰ応答メッセージをＩＰ携帯電話機１０に送信し返す。そのＳＩＰ応答メッセージは、レスポンス・ラインとして“２００  ＯＫ”、ヘッダ・フィールドとして所定の制御情報（例えば、ＦｒｏｍヘッダおよびＴｏヘッダとして登録名およびＩＰアドレスを含むＳＩＰ  ＵＲＩ“ｓｉｐ：ＩＰ−Ｐｈｎ１＠１０．１０．１０．１”）、およびボディとして任意の情報を含んでいる。
【００３４】
手順７１２においてユーザＡの操作によって情報処理機器３０の登録アプリケーション（３０３）が起動されて情報処理機器３０の登録が開始される。手順７１６において、情報処理機器３０（プロセッサ３０２）は、リーダ／ライタ装置３４０にＩＰ携帯電話機１０のＲＦ  ＩＤタグ１２０のタグＩＤ等のタグ情報を読み取らせて記憶装置３０３に保存する。
【００３５】
手順７１８において、ユーザＡは、情報処理機器３０の入力装置３０６を用いて情報処理機器３０の登録名およびユーザ名を情報処理機器３０に入力して、呼制御管理サーバ６０への情報処理機器３０の登録を開始する。手順７２０において、情報処理機器３０（プロセッサ３０２）は、ＩＰパケット中で登録項目を含むテキスト形式のＲＥＧＩＳＴＥＲのＳＩＰメッセージを呼制御管理サーバ６０に送信する。そのＳＩＰメッセージは、リクエスト・ラインとして“ＲＥＧＩＳＴＥＲ”（レジスタ）、ヘッダ・フィールドとして所定の制御情報（例えば、ＦｒｏｍヘッダおよびＴｏヘッダとして登録名（情報処理機器名称）およびＩＰアドレスを含むＳＩＰ  ＵＲＩ“ｓｉｐ：ＷＳｐｃ＠１０．１０．２０．２”）、ボディとしてＩＰ携帯電話機１０のＲＦ  ＩＤタグ１２０のタグＩＤおよびユーザ名“Ａ”を含んでいる。
【００３６】
手順７２２において、呼制御管理サーバ６０（プロセッサ６２）は、記憶装置６３の登録テーブルまたはデータベースに、タグＩＤを有するＩＰ携帯電話機１０に関連づけて、および情報処理機器３０の登録名、ＩＰアドレスおよびユーザ名を保存する。
【００３７】
手順７２４において、呼制御管理サーバ６０（プロセッサ６２）は、ＩＰパケット中で２００  ＯＫのＳＩＰ応答メッセージを情報処理機器３０に送信し返す。そのＳＩＰ応答メッセージは、レスポンス・ラインとして“２００  ＯＫ”、ヘッダ・フィールドとして所定の制御情報（例えば、ＦｒｏｍヘッダおよびＴｏヘッダとして登録名およびＩＰアドレスを含むＳＩＰ  ＵＲＩ“ｓｉｐ：ＷＳｐｃ＠１０．１０．２０．２”）、およびボディとして任意の情報を含んでいる。その後、手順７２８において、リーダ／ライタ装置３４０は、ＲＦ  ＩＤタグの検知を繰り返す。
【００３８】
図８Ｂは、図１の情報処理機器３０による呼制御管理サーバ６０への、登録された電話機および情報処理機器のセッションの状態の問い合わせの手順を示している。
【００３９】
手順７３２において、ユーザＡは呼制御管理サーバ６０に登録された電話機および情報処理機器のセッションの状態を確認すべく情報処理機器３０を操作する。その操作に応答して、情報処理機器３０（プロセッサ３０２）は、手順７３４においてＩＰネットワーク５を介して呼制御管理サーバ６０に状態問合せＳＴＡＴＵＳ  ＥＮＱＵＩＲＹ（ステータス・エンクワイアリ）のＳＩＰメッセージを送信する。その状態問合せに応答して、呼制御管理サーバ６０（プロセッサ６２）は、手順７３６において記憶装置６３に格納されている登録テーブルのセッション状態等のデータを含むＳＴＡＴＵＳ（ステータス）のＳＩＰ応答メッセージを送信し返す。手順７３８において、情報処理機器３０（プロセッサ３０２）は、ＳＴＡＴＵＳ（ステータス）のＳＩＰ応答メッセージを受信して表示装置１０４２に登録テーブルのセッション状態データを表示する。
【００４０】
図９は、図１の情報処理機器３０、３２または３４による呼制御管理サーバ６０における情報処理機器３０、３２または３４のデータの更新の手順を示している。
【００４１】
手順７２８において、ユーザ、例えばユーザＡは、情報処理機器３０を操作してリーダ／ライタ装置３４０にＲＦ  ＩＤタグの周期的な検知を開始させる。ＩＰ携帯電話機１０がリーダ／ライタ装置３４０に近づくと、手順７５０において、リーダ／ライタ装置３４０はＩＰ携帯電話機１０のＲＦ  ＩＤタグ１２０のタグＩＤを読み取り、情報処理機器３０のプロセッサ３０２はそのタグＩＤおよび近傍フラグの値（値１）を記憶装置３０３に格納する。近傍フラグは、タグＩＤに対応するＩＰ携帯電話機１０が情報処理機器３０の近傍にあるかどうかを示し、値“１”はその近傍にあることを示し、値“０”はその近傍にないことを示している。情報処理機器３０（プロセッサ３０２）は、手順７５２において、ＩＰ携帯電話機１０のタグＩＤ、情報処理機器３０の登録名および状態フラグの値（＝１）を含むＲＥＧＩＳＴＥＲのＳＩＰメッセージを呼制御管理サーバ６０に送信する。
【００４２】
手順７５４において、呼制御管理サーバ６０（プロセッサ６２）は、ＲＥＧＩＳＴＥＲのＳＩＰメッセージを受信し、登録テーブルにおいて、そのタグＩＤを有するＩＰ携帯電話機１０の登録名に関連づけられた情報処理機器３０の登録名の近傍フラグを“１”にセットしまたは更新する。情報処理機器３０の登録名がＩＰ携帯電話機１０の登録名に関連づけられていない場合には、そのような更新を行わない。代替構成として、情報処理機器３０の登録名がＩＰ携帯電話機１０の登録名に関連づけられていない場合には、情報処理機器３０の登録名を他の電話機（１０）の登録名に関連づける別のエントリが存在する場合にだけ、呼制御管理サーバ６０（プロセッサ６２）は、その別のエントリを参照して、情報処理機器３０の登録名をＩＰ携帯電話機１０の登録名に関連づけるエントリを生成して登録テーブルに追加し、その近傍フラグの値を“１”にセットしてもよい。手順７５６において、呼制御管理サーバ６０（プロセッサ６２）は、２００  ＯＫのＳＩＰ応答メッセージを情報処理機器３０に送信し返す。
【００４３】
その後、情報処理機器３０がＩＰ携帯電話機１０から離れると、手順７６０において、リーダ／ライタ装置３４０はＩＰ携帯電話機１０のＲＦ  ＩＤタグ１２０の読み取りに失敗し、情報処理機器３０のプロセッサ３０２はＲＦ  ＩＤタグ１２０のタグＩＤの近傍フラグの値“０”を記憶装置３０３に格納する。情報処理機器３０（プロセッサ３０２）は、手順７６２において、ＩＰ携帯電話機１０のタグＩＤ、情報処理機器３０の登録名、および状態フラグの値（＝０）を含むＲＥＧＩＳＴＥＲのＳＩＰメッセージを呼制御管理サーバ６０に送信する。
【００４４】
手順７６４において、呼制御管理サーバ６０（プロセッサ６２）は、ＲＥＧＩＳＴＥＲのＳＩＰメッセージを受信し、記憶装置６３の登録テーブルにおいて、そのタグＩＤを有するＩＰ携帯電話機１０の登録名に情報処理機器３０の登録名を関連づけるエントリにおける近傍フラグの値を“０”に更新する。近傍フラグ値が“０”となったエントリにおけるＩＰ携帯電話機またはＩＰ電話機のユーザ名と情報処理機器のユーザ名が異なる場合は、呼制御管理サーバ６０（プロセッサ６２）はそのエントリを削除してもよい。手順７６６において、呼制御管理サーバ６０（プロセッサ６２）は、２００  ＯＫのＳＩＰ応答メッセージを情報処理機器３０に送信し返す。手順７６８において、情報処理機器３０のリーダ／ライタ装置３４０はＲＦ  ＩＤタグの周期的な検知を継続する。
【００４５】
図１０は、呼制御管理サーバ６０の記憶装置６３に格納されている登録テーブルの例を示している。図１０の登録テーブルは、ＩＰ携帯電話機１０およびＩＰ電話機７０等の登録名と、ユーザ名と、現在のＩＰアドレスと、現在のセッションの状態（例えば、通話中、確立または解放）と、ＲＦ  ＩＤタグのタグＩＤと、近傍フラグの値（０／１）と、さらに、タグＩＤによって関連づけられたＩＰ携帯電話機１０およびＩＰ電話機７０等に関連する情報処理機器３０、３２および７０等の登録名、ユーザ名、現在のＩＰアドレスおよび現在のセッションの状態と、を含む各エントリを含んでいる。図１および３のＲＦ  ＩＤタグ１２０は、ＩＰ携帯電話機１０の登録名および／またはユーザ名を含むタグＩＤを格納していてもよい。図２および３のＲＦ  ＩＤタグ３２０は、情報処理機器３０の登録名および／またはユーザ名を含むタグＩＤを格納していてもよい。図１０の登録テーブルは、さらに、関連づけられた情報処理機器３０、３２および８０において利用可能なアプリケーションと、ディスプレイの解像度と、を含む各エントリを含んでいてもよい。
【００４６】
図１０において、例えば、ＩＰ携帯電話機１０のエントリとして、登録名“ＩＰ−Ｐｈｎ１”、ユーザ名“Ａ”、ＩＰアドレス“１０．１０．１０．１”、セッション状態“解放”およびＲＦ  ＩＤタグ１２０のタグＩＤ“ＸＸＸ．．．”およびＲＦ  ＩＤタグ２０のタグＩＤ“ＹＹＹ．．．”を含み、ＩＰ携帯電話機１０に関連づけられた情報処理機器３０のエントリとして、近傍フラグの値“１”、登録名“ＷＳｐｃ”、ユーザ名“Ａ”、ＩＰアドレス“１０．１０．２０．２”およびセッション状態“解放”を含んでいる。電話機のセッション状態が通話中の場合は、“通話中”の表示とともに、通話相手のＩＰ電話機の登録名も記録される。情報処理機器のセッション状態が確立の場合は、“確立”の表示とともに、通信相手の１つ以上の情報処理機器の登録名も記録される。この場合、ＩＰ携帯電話機１０の登録名に関連づけられたユーザＡの３つの情報処理機器の登録名が登録されている。
【００４７】
図１の構成では、登録テーブルの各エントリ中のタグＩＤは、ＩＰ携帯電話機またはＩＰ電話機のＲＦ  ＩＤタグのタグＩＤ“ＸＸＸ．．．”である。図２の構成では、登録テーブルの各エントリ中のタグＩＤは、ＩＰ携帯電話機またはＩＰ電話機に関連づけられる情報処理機器のＲＦ  ＩＤタグのタグＩＤ“ＹＹＹ．．．”である。図３の構成では、登録テーブルの各エントリ中のタグＩＤは、ＩＰ携帯電話機またはＩＰ電話機のＲＦ  ＩＤタグのタグＩＤ“ＸＸＸ．．．”と、ＩＰ携帯電話機またはＩＰ電話機に関連づけられる情報処理機器のＲＦ  ＩＤタグのタグＩＤ“ＹＹＹ．．．”とである。
【００４８】
図１１は、図８ＡによるＩＰ携帯電話機１０、ＩＰ電話機７０および情報処理機器３０および８０の呼制御サーバ６０への登録の後で、ＩＰ携帯電話機１０がＩＰネットワーク５を介してＩＰ電話機７０を呼び出し次いでそれらに対応する情報処理機器３０および８０を互いに接続させるための通信手順を示している。
【００４９】
ユーザＡがＩＰ携帯電話機１０を所持してエリア１における情報処理機器３０の付近にいるとき、図９の手順に従って、図１０の登録テーブルにおいてＩＰ携帯電話機１０の登録名に関連づけられた情報処理機器３０の近傍フラグの値が“１”にセットされる。ユーザＡは、ＩＰ携帯電話機１０をオフフックし被呼側の電話機７０の登録名（例えば、ＩＰ−Ｐｈｎ２）を入力することによって、ＩＰ電話機７０に対して発呼する。
【００５０】
手順８１２において、ＩＰ携帯電話機１０のプロセッサ１０２は、周知の形態で登録名をＳＩＰ  ＵＲＩ（例えば、ｓｉｐ：ＩＰ−Ｐｈｎ２＠１０．１０．１０．２）に変換して、ヘッダ・フィールドにＴｏヘッダとしてそのＳＩＰ  ＵＲＩを含むＳＩＰメッセージのＩＰパケットを呼制御管理サーバ６０に送信する。ＳＩＰメッセージは、リクエスト・ラインとして呼び出し要求を表すＩＮＶＩＴＥ、ヘッダ・フィールドとしてＦｒｏｍヘッダおよびＴｏヘッダとしてそれぞれのＳＩＰ  ＵＲＩを含む所定の制御情報、およびデータ形式等を記述するボディとしてセッション情報を含んでいる。ＩＰ携帯電話機１０は、ユーザによって被呼側のＩＰ電話機７０のユーザ識別子としてのＩＰ電話番号（例えば、０５０−８８８８８８８８）が入力されたときは、ＩＰネットワーク５上のＥＮＵＭサーバ（図示せず）を介して対応する登録名を取得するようにしてもよい。あるいは、呼管理制御サーバ６０は、被呼側の電話機７０のＩＰ電話番号をヘッダ・フィールドに含むＳＩＰメッセージを受信したときは、ＩＰネットワーク５上のＥＮＵＭサーバ（図示せず）を介して対応する登録名を取得するようにしてもよい。手順８１４において、呼制御管理サーバ６０（プロセッサ６２）は、図１０の登録テーブルにおけるＩＰ携帯電話機１０のセッション状態を“解放”から“通話中”に変更する。
【００５１】
手順８２８において、呼制御管理サーバ６０（プロセッサ６２）は、ＩＮＶＩＴＥのＳＩＰメッセージをＩＰ電話機７０にそのＳＩＰ  ＵＲＩを用いて送信する。その呼がＩＰ電話機７０に着信し、即ちＩＰ電話機７０（プロセッサ１０２）は、そのＳＩＰメッセージを受信し、その受信に応答してスピーカ１０７４を介して呼び出しを行い即ち着信音またはビープ音を発生する。手順８３０において、呼制御管理サーバ６０（プロセッサ６２）は、呼び出し要求を処理中であることを示すＳＩＰメッセージ（ステータス・ラインとして１００  Ｔｒｙｉｎｇを含む）をＩＰ携帯電話機１０に送信し返す。
【００５２】
手順８３２において、呼の着信に応答して、ＩＰ電話機７０（プロセッサ１０２）は、呼び出し中であることを示す１８０  ＲｉｎｇｉｎｇのＳＩＰメッセージを呼制御管理サーバ６０に送信し返す。手順８３４において、呼制御管理サーバ６０（プロセッサ１０２）は、その１８０  ＲｉｎｇｉｎｇのＳＩＰメッセージの受信に応答して、呼び出し中であることを示す１８０  ＲｉｎｇｉｎｇのＳＩＰメッセージをＩＰ携帯電話機１０に送信する。その１８０  ＲｉｎｇｉｎｇのＳＩＰメッセージの受信に応答して、ＩＰ携帯電話機１０（プロセッサ１０２）は、ＩＰ電話機７０がオフフックするまでレシーバ１０７３を介して呼び出し音を発生し続ける。
【００５３】
呼制御管理サーバ６０（プロセッサ６２）は、手順８３６において、登録テーブルを検索して、近傍フラグ値“１”を有しＩＰ携帯電話機１０の登録名に関連づけられた情報処理機器３０と、近傍フラグ値“１”を有しＩＰ電話機７０の登録名に関連づけられた情報処理機器８０とを決定し、手順８３８および８４２において、その決定した情報処理機器３０および８０にそれぞれのＩＰアドレスを用いて通知を示すＮＯＴＩＦＹのＳＩＰメッセージをそれぞれ送信する。そのＳＩＰメッセージは、リクエスト・ラインとしてＮＯＴＩＦＹ（ノーティファイ）、ヘッダ・フィールドとして所定の制御情報、および、ボディとして他方の情報処理機器（８０または３０）の登録名、ＩＰアドレスおよび利用可能なアプリケーションの識別子を含んでいる。手順８４０において情報処理機器８０（３０２）はＰ２Ｐ通信アプリケーションを起動する。手順８４４において情報処理機器３０（３０２）はＰ２Ｐ通信アプリケーションを起動する。
【００５４】
ユーザＢがＩＰ電話機７０をオフフックすると、手順８４６において、ＩＰ電話機７０（プロセッサ１０２）は、オフフックを示す２００  ＯＫのＳＩＰメッセージを呼制御管理サーバ６０に送信する。手順８４８において、そのＳＩＰメッセージの受信に応答して、呼制御管理サーバ６０（プロセッサ６２）は、オフフックを示す２００  ＯＫのＳＩＰメッセージをＩＰ携帯電話機１０に送信する。
【００５５】
手順８５２において、オフフックを示すＳＩＰメッセージ（２００  ＯＫ）の受信に応答して、ＩＰ携帯電話機１０（プロセッサ１０２）は、確認応答を示すＡＣＫのＳＩＰメッセージ５３１を呼制御管理サーバ６０に送信する。それによって、ＩＰ携帯電話機１０は通話状態となる。手順８５４において、そのＳＩＰメッセージの受信に応答して、呼制御管理サーバ６０（プロセッサ６２）は、確認応答を示すＡＣＫのＳＩＰメッセージ６３１をＩＰ電話機７０に送信する。それによって、ＩＰ電話機７０は通話状態となる。そのＳＩＰメッセージはリクエスト・ラインとしてＡＣＫを含んでいる。その後、手順８５６においてＩＰ携帯電話機１０とＩＰ電話機７０の間で通話セッションが行われる。
【００５６】
ＮＯＴＩＦＹのＳＩＰメッセージを受信したとき、情報処理機器３０および８０（プロセッサ３０２）の各々は、他方の情報処理機器のＩＰアドレスを取得することができる。ユーザＡが情報処理機器３０を操作してＰ２Ｐ通信を開始し、呼制御管理サーバ６０（プロセッサ６２）は情報処理機器３０のセッション状態を確立状態にセットする。ユーザＢが情報処理機器８０を操作してＰ２Ｐ通信を開始し、呼制御管理サーバ６０（プロセッサ６２）は情報処理機器８０のセッション状態を確立状態にセットする。このようにして、手順８７６において、情報処理機器３０と８０の間にデータ共有のためのＰ２Ｐ通信のセッションまたはコネクションが確立され、情報処理機器３０または８０（プロセッサ３０２）は、ユーザの操作に従って、Ｐ２Ｐ通信アプリケーションを用いて、共有すべき画像情報などのデータファイルを、他方の情報処理機器８０または３０におけるＰ２Ｐ通信アプリケーションにそのＩＰアドレスを用いて送信する。
【００５７】
代替構成として、手順８７６において、情報処理機器３０および８０（プロセッサ３０２）の各々は、他方のＩＰアドレスを取得したとき、ユーザの操作に関係なく、自動的にＰ２Ｐ通信を開始してもよい。
【００５８】
その後、ＩＰ携帯電話機１０およびＩＰ電話機７０の一方、例えばＩＰ携帯電話機１０のユーザＡがそのＩＰ携帯電話機１０をオンフックすると、手順８８０において、ＩＰ携帯電話機１０（プロセッサ１０２）は、セッション終了通知を表すＢＹＥのＳＩＰメッセージを呼制御管理サーバ６０に送信する。呼制御管理サーバ６０（プロセッサ６２）は、ＳＩＰメッセージ（ＢＹＥ）の受信に応答して、登録テーブルのＩＰ携帯電話機１０のセッション状態を解放状態に設定し、手順８８２においてＩＰ電話機７０にＢＹＥのＳＩＰメッセージを送信する。ＳＩＰメッセージ（ＢＹＥ）の受信に応答して、ＩＰ電話機７０（プロセッサ１０２）は、呼が解放されたことを表す音をレシーバ１０７３から発生させ、手順８８４においてオンフックを示す２００  ＯＫのＳＩＰメッセージを呼制御管理サーバ６０に送信する。呼制御管理サーバ６０（プロセッサ６２）は、ＳＩＰメッセージ（２００  ＯＫ）の受信に応答して、登録テーブルのＩＰ電話機７０のセッション状態を解放状態に設定し、手順８８６においてＩＰ携帯電話機１０に２００  ＯＫのＳＩＰメッセージを送信する。ＩＰ携帯電話機１０（プロセッサ１０２）は、ＳＩＰメッセージ（２００  ＯＫ）の受信に応答してＩＰ携帯電話機１０のセッション状態を解放状態に設定する。
【００５９】
情報処理機器３０および８０の各々のプロセッサ３０２は、セッション確立後、ユーザＡおよびＢの操作によって、手順８９０および８９２において任意の時点でセッションを解放する。
【００６０】
図１２は、図８ＡによるＩＰ携帯電話機１０、ＩＰ電話機７０および情報処理機器３０および８０の呼制御サーバ６０への登録の後で、情報処理機器３０がＩＰネットワーク５を介して情報処理機器８０のＰ２Ｐ通信アプリケーションを起動してＰ２Ｐ通信可能な状態に設定し次いでそれらに対応するＩＰ携帯電話機１０およびＩＰ電話機７０を呼び出すための通信手順を示している。
【００６１】
ユーザＡがＩＰ携帯電話機１０を所持してエリア１における情報処理機器３０の付近にいるとき、図９の手順に従って、図１０の登録テーブルにおいてＩＰ携帯電話機１０に関連づけられた情報処理機器３０の近傍フラグの値が“１”にセットされる。ユーザＡは、情報処理機器３０上でＰ２Ｐ通信アプリケーションを起動して、図８Ｂにおける状態確認のための手順７３２〜７３８が実行される。
【００６２】
手順７３８において情報処理機器３０（プロセッサ３０２）の表示装置３０４に表示された登録テーブルの情報に基づいて、ユーザＡは、他方のＩＰ電話機７０に関連づけられた情報処理機器の状態および近傍フラグ値を確認し、情報処理機器３０との間でデータ共有するためのＰ２Ｐ通信をすべき情報処理機器８０を選択し接続するよう情報処理機器３０を操作する。手順８１６において、情報処理機器３０（プロセッサ３０２）は、選択された情報処理機器８０の登録名およびＩＰアドレスを含むＲＥＧＩＳＴＥＲ（レジスタ）のＳＩＰメッセージをＩＰネットワーク５を介して呼制御管理サーバ６０に送信する。手順８１８において、呼制御管理サーバ６０（プロセッサ６２）は、情報処理機器８０にそのＩＰアドレスを用いて、通知を示すＮＯＴＩＦＹのＳＩＰメッセージをＩＰネットワーク５を介して情報処理機器８０に送信する。手順８２０において、情報処理機器８０（プロセッサ８２）は、そのＳＩＰメッセージの受信に応答してＰ２Ｐ通信アプリケーションを起動する。
【００６３】
ＲＥＧＩＳＴＥＲのＳＩＰメッセージの受信に応答して、手順８２２において呼制御管理サーバ６０（プロセッサ６２）はＩＮＶＩＴＥのＳＩＰメッセージをＩＰ携帯電話機１０にそのＳＩＰ  ＵＲＩを用いて送信する。手順８２４において、ＩＰ携帯電話機１０（１０２）は、呼び出し中であることを示す１８０  ＲｉｎｇｉｎｇのＳＩＰメッセージを呼制御管理サーバ６０に送信し返す。ユーザＡがＩＰ携帯電話機１０をオフフックすると、手順８２６において、ＩＰ携帯電話機１０（プロセッサ１０２）は、オフフックを示す２００  ＯＫのＳＩＰメッセージを呼制御管理サーバ６０に送信する。
【００６４】
手順８２８において、そのＳＩＰメッセージ（２００  ＯＫ）の受信に応答して、呼制御管理サーバ６０（プロセッサ６２）は、ＩＮＶＩＴＥのＳＩＰメッセージをＩＰ電話機７０にそのＳＩＰ  ＵＲＩを用いて送信する。手順８３０〜８３４、８４６〜８５４、８５６および８７６は図１１のものと同様である。
【００６５】
図１２の手順は、ＩＰ携帯電話機１０を所持するユーザＡが図１のエリア２にいる場合にも同様に適用される。この場合、情報処理機器３０は図１の情報処理機器３２に置き換えられる。手順７３８においてエリア２の情報処理機器３２（プロセッサ３０２）の表示装置３０４に表示された登録テーブルに基づいて、ユーザＡは、近傍フラグ値“１”を有しＩＰ携帯電話機１０およびＩＰ電話機７０に関連づけられた３人以上のユーザＡ、ＢおよびＣ等の３つ以上の情報処理機器３２、８０および３４の間でデータ共有するためのＰ２Ｐ通信をすべき他の情報処理機器３４および８０等を選択し接続するよう情報処理機器３２を操作してもよい。この場合、手順８１６において、情報処理機器３２、３４および８０等の登録名およびＩＰアドレスが、呼制御管理サーバ６０に送信される。手順８１８において、情報処理機器８０に情報処理機器３２および３４等のＩＰアドレスが通知され、手順８１９において情報処理機器３４に情報処理機器３２および８０等のＩＰアドレスが通知され、それによってＩＰ携帯電話機１０およびＩＰ電話機７０に関連づけられた複数の情報処理機器の間でＰ２Ｐ通信セッションを行わせることができる。
【００６６】
図１３は、図１の構成において、最初のエリア１または移動先のエリア２においてユーザＡの操作によりＩＰ携帯電話機１０がＩＰネットワーク５を介してエリア３のＩＰ電話機７０を呼び出して呼を確立し、その後、ＩＰ携帯電話機１０を所持するユーザＡが移動先のエリア２において情報処理機器３２とエリア３の情報処理機器８０を互いに接続させるための通信手順を示している。
【００６７】
手順８１２〜８３４および８４６〜８５６は、図１１または１２のものと同様である。手順８５６において、エリア１または２においてＩＰ携帯電話機１０がＩＰネットワーク５を介してＩＰ電話機７０との間の呼を確立し通話状態になる。
【００６８】
手順８００において、エリア２においてユーザＡの操作によりエリア２における情報処理機器３２のリーダ／ライタ装置３４２はＲＦ  ＩＤタグの検知を繰り返す。ＩＰ携帯電話機１０が情報処理機器３４に近づくと、手順８６２において、図９の手順７５０と同様に、リーダ／ライタ装置３４２はＩＰ携帯電話機１０のＲＦ  ＩＤタグ１２０のタグＩＤを読み取り、情報処理機器３２のプロセッサ３０２はそのタグＩＤおよび近傍フラグの値“１”を記憶装置３０３に格納する。情報処理機器３２（プロセッサ３０２）は、手順８６４において、図９の手順７５２と同様に、ＩＰ携帯電話機１０のタグＩＤ、情報処理機器３２の登録名および状態フラグの値（＝１）を含むＲＥＧＩＳＴＥＲのＳＩＰメッセージを呼制御管理サーバ６０に送信する。
【００６９】
呼制御管理サーバ６０（プロセッサ６２）は、手順８６６において、記憶装置６３の登録テーブルにおいてＩＰ携帯電話機１０の登録名に情報処理機器３２の登録名を関連づけるエントリにおける近傍フラグを“１”にセットし、図１１の手順８３６と同様に、図１０の登録テーブルを検索して、近傍フラグ値“１”を有しＩＰ携帯電話機１０に関連づけられたエリア２の情報処理機器３２と、近傍フラグ値“１”を有しＩＰ電話機７０に関連づけられた情報処理機器８０とを決定し、手順８６８および８７０において、図１１の手順８３８および８４２と同様に、その決定した情報処理機器３２および８０にそれぞれのＩＰアドレスを用いて通知を示すＮＯＴＩＦＹのＳＩＰメッセージをそれぞれ送信する。手順８６８において情報処理機器８０（３０２）はＰ２Ｐ通信アプリケーションを起動する。手順８７２において情報処理機器３２（３０２）はＰ２Ｐ通信アプリケーションを起動する。手順８７６において、情報処理機器３２および８０は、ユーザの操作に従って、Ｐ２Ｐ通信アプリケーションを用いてＰ２Ｐ通信を開始し、その一方が、共有すべき画像情報などのデータファイルを、他方の情報処理機器８０または３２におけるＰ２ＰアプリケーションにそのＩＰアドレスを用いて送信する。
【００７０】
図１４は、本発明のさらに別の実施形態による、エリア２に設けられたアクセス・ポイント５２を介してＩＰネットワーク５に接続されるＩＰ携帯電話機１０と、エリア２の会議用テーブルＴ上に位置しハブ５３を介してＩＰネットワーク５に接続される情報処理機器３２、３４および３６とを示している。情報処理機器３６は、情報処理機器３０および３２と同様の構成を有し、リーダ／ライタ装置３４６を有する。
【００７１】
ＩＰ携帯電話機１０とＩＰ電話機７０の間に通話セッションが確立し、かつ情報処理機器３２と８０の間にＰ２Ｐ通信セッションが確立しているときに、ユーザＣおよびＤの情報処理機器３４および３６が、ＩＰネットワーク５に接続されたハブ５３に接続され、ＩＰ携帯電話機１０に接近し、それによって情報処理機器３２、３４、３６および８０の間でデータ共有のためのＰ２Ｐ多者間通信が可能になる。
【００７２】
図１５は、図１の構成において、図１１〜１３の手順によるユーザＡのＩＰ携帯電話機１０とユーザＢのＩＰ電話機７０の間の通信セッション８５６の確立およびそれに関連づけられた情報処理機器３２と８０の間の通信セッション８７６の確立の後で、ユーザＣの情報処理機器３４が他の情報処理機器３２および８０との間でＰ２Ｐ多者間通信セッションを確立するための通信手順の例を示している。
【００７３】
手順９０２において、図１３の手順８６２と同様に、情報処理機器３４のリーダ／ライタ装置３４４はＩＰ携帯電話機１０のＲＦ  ＩＤタグ１２０のタグＩＤを読み取り、情報処理機器３４のプロセッサ３０２はそのタグＩＤおよび近傍フラグの値“１”を記憶装置３０３に格納する。情報処理機器３４（プロセッサ３０２）は、手順９０４において、図１３の手順８６４と同様に、ＩＰ携帯電話機１０のタグＩＤ、情報処理機器３４の登録名および状態フラグの値（＝１）を含むＲＥＧＩＳＴＥＲのＳＩＰメッセージを呼制御管理サーバ６０に送信する。
【００７４】
呼制御管理サーバ６０（プロセッサ６２）は、手順９０６において、図１３の手順８６６と同様に、記憶装置６３の登録テーブルにおいてＩＰ携帯電話機１０の登録名にエリア２の情報処理機器３４の登録名を関連づけるエントリにおける近傍フラグを“１”にセットし、さらに、登録テーブルを検索して、情報処理機器８０と通信セッションが確立された状態にあり近傍フラグ値“１”を有しＩＰ携帯電話機１０に関連づけられた情報処理機器３２と、情報処理機器３２と通信セッションが確立された状態にあり近傍フラグ値“１”を有しＩＰ電話機７０に関連づけられた情報処理機器８０と、変更された近傍フラグ値“１”を有しＩＰ携帯電話機１０に関連づけられた情報処理機器３４と、を決定する。手順９０８において、呼制御管理サーバ６０（プロセッサ６２）は、識別情報として情報処理機器３４の登録名を、ＩＰ携帯電話機１０に関連づけられた情報処理機器３２にまたはＩＰ携帯電話機１０に送信する。情報処理機器３２（プロセッサ３０２）は情報処理機器３４の登録名を情報処理機器３２の表示装置３０４に表示するか、またはＩＰ携帯電話機１０（プロセッサ１０２）は情報処理機器３４の登録名をＩＰ携帯電話機１０の表示装置１０４２に表示する。ユーザＡは、情報処理機器３２の入力装置３０６またはＩＰ携帯電話機１０のキー１０５を操作して情報処理機器３４がＰ２Ｐ通信８７６へ参加するのを許可する。手順９１０において、情報処理機器３２（プロセッサ３０２）またはＩＰ携帯電話機１０（プロセッサ１０２）は、許可を示す２００  ＯＫのＳＩＰメッセージを呼制御管理サーバ６０に送信する。その許可に応答して、呼制御管理サーバ６０（プロセッサ６２）は、手順９１２および９１４において、情報処理機器３２および８０に情報処理機器３４のＩＰアドレスを含むＮＯＴＩＦＹのＳＩＰメッセージを送信し、手順９１６において情報処理機器３４に情報処理機器３２および８０のＩＰアドレスを含むＮＯＴＩＦＹのＳＩＰメッセージを送信する。
【００７５】
手順９１８において情報処理機器３４はＰ２Ｐ通信アプリケーションを起動する。手順９２０において、情報処理機器３４（プロセッサ３０２）は、ユーザＣの操作に従って、Ｐ２Ｐアプリケーションを用いてＰ２Ｐ通信を開始し、画像情報などのデータファイルを、他の情報処理機器３２または８０に送信しそれから受信する。このようにして、手順９２０において情報処理機器３２、３４および８０の間で多者間でＰ２Ｐ通信が行われる。この場合、ユーザＣは、ユーザＡとともにＩＰ携帯電話機１０を共有モードで用いてユーザＢと通話する。
【００７６】
図１４のユーザＤの情報処理機器３６も、図１５の手順と同様の手順でＰ２Ｐ多者間通信９２０に参加することができる。この場合、ユーザＤは、ユーザＡおよびＣとともにＩＰ携帯電話機１０を共有モードで用いてユーザＢと通話する。
【００７７】
図１６は、図１４のエリア２においてＩＰ携帯電話機１０の付近に位置する複数のユーザＣおよびＤの情報処理機器３４および３６が追加的に登録されたときの呼制御管理サーバ６０の記憶装置６３に格納されている登録テーブルの例を示している。この場合、近傍フラグ値“１”を有しＩＰ携帯電話機１０の登録名に関連づけられたユーザＣおよびＤの追加された２つの情報処理機器の登録名が追加的エントリ（００４および００５）に登録されている。
【００７８】
図１７Ａ、１７Ｂ、１７Ｃおよび１７Ｄは、図１２の手順に従って、図１４のエリア２のＩＰ携帯電話機１０とエリア３のＩＰ電話機７０の間で通話セッションを確立し、かつエリア２の複数の情報処理機器３２、３４および３６とエリア３の情報処理機器８０の間でデータ共有のためのＰ２Ｐ通信セッションを確立するための画面の例を示している。
【００７９】
ユーザＡによる情報処理機器３２の状態確認のための操作に応答して、呼制御管理サーバ６０は図１６の登録テーブルに基づいて図１７Ａの画面を情報処理機器３２の表示装置３０４に表示させる。図１７Ａにおいて、ユーザＡのＩＰ電話機１０（自機の登録名“ＩＰ−Ｐｈｎ１”）とユーザＢのＩＰ電話機７０（ＩＰ−Ｐｈｎ２）とは解放状態になっている。図１７Ａの画面において、ユーザＡが図１７Ｂに示されているように情報処理機器３２の表示装置３０４上でカーソル（矢印）をユーザＢのＩＰ電話機７０の登録名“ＩＰ−Ｐｈｎ２”においてクリックすると、図１７Ｂに示されているようなサービス・メニューＭ１が表示される。ユーザＡがメニューＭ１中の“登録機器を見る”にカーソルをおいてクリックしてそれを選択すると、図１７Ｃの画面が表示される。
【００８０】
図１７Ｃにおいて、ユーザＢのＩＰ電話機７０に関連づけられたユーザＢ、ＦおよびＧの登録された情報処理機器の登録名とその状態のリストが表示される。ユーザＢの登録された情報処理機器（Ｄｐｃ１）のセッション状態は解放状態であり、ＩＰ携帯電話機１０の近傍の登録された他のユーザＦおよびＧの情報処理機器（Ｄｐｃ５、Ｄｐｃ６）のセッション状態も解放状態である。ユーザＡが情報処理機器３２の表示装置３０４上で、図１７Ｃに示されているようにカーソル（矢印）をユーザＢの情報処理機器８０の登録名“Ｄｐｃ１”においてクリックすると、図１７Ｃに示されているようなサービス・メニューＭ２が表示される。ユーザＡがそのメニューＭ２において“電話＆データ共有２”にカーソルをおいてクリックしてそれを選択すると、ＩＰ携帯電話機１０はＩＰ電話機７０に発呼してそれとの間に通話セッションを確立し、情報処理機器３２と８０（Ｎｐｃ７０およびＤｐｃ１）の間にＰ２Ｐ通信セッションが確立され、図１７Ｄのリストが表示される。図１７Ｄにおいて、ユーザＢの情報処理機器３２の登録名“Ｄｐｃ１”のセッション状態が確立状態になっている。
【００８１】
さらに、ユーザＣは、情報処理機器３４において図１７Ｃと同様の表示において他の近傍の機器の状態のリスト中のユーザＡの情報処理機器３２の登録名“Ｎｐｃ７０”についてメニューＭ２中の“データ共有１”を選択し、それによって図１５の手順９０４〜９１６が実行されて、情報処理機器３４を情報処理機器３２および８０に接続することができる。さらに、ユーザＤは、情報処理機器３６において図１７Ｃと同様の表示において他の近傍の機器の状態のリスト中のユーザＡの情報処理機器３２の登録名“Ｎｐｃ７０”についてメニューＭ２中の“データ共有１”を選択し、それによって図１５の手順９０４〜９１６が実行されて、情報処理機器３６を情報処理機器３２、３４および８０に接続することができる。このようにして、エリア２の情報処理機器３２、３４および３６とエリア３の情報処理機器７０の間でＰ２Ｐ多者間通信セッションが確立される。
【００８２】
図１８Ａ、１８Ｂおよび１８Ｃは、図１４のエリア２のＩＰ携帯電話機１０の付近にユーザＣおよびＤの他の情報処理機器３４および３６が位置するときに、図８Ｂの手順に従って、ユーザＢによって情報処理機器８０上で呼制御管理サーバ６０の登録テーブル中の電話機および情報処理機器の状態を確認するための画面の例を示している。
【００８３】
図１８Ａにおいて、ユーザＢのＩＰ電話機７０の登録名“ＩＰ−Ｐｈｎ２”とユーザＡのＩＰ携帯電話機１０の登録名“ＩＰ−Ｐｈｎ１”とは解放状態になっている。図１８Ａの画面において、ユーザＢが情報処理機器８０において、カーソル（矢印）をユーザＡのＩＰ携帯電話機１０の登録名“ＩＰ−Ｐｈｎ１”においてクリックすると、図１８Ｂに示されているようにサービス・メニューＭ５が表示される。ユーザＢがメニューＭ５中の“登録機器を見る”にカーソルをおいてクリックしてそれを選択すると、図１８Ｃの画面が表示される。図１８Ｃにおいて、ユーザＡのＩＰ携帯電話機１０に関連づけられた登録されたユーザＡ、ＣおよびＤの情報処理機器３２、３４および３６の登録名とそのセッション状態のリストが表示される。ユーザＡの登録された情報処理機器３２はセッション状態が解放状態になっており、ＩＰ携帯電話機１０の近傍の登録された他のユーザＣおよびＤの情報処理機器（ＮｐｃＬＸ、Ｎｐｃ５０）もセッション状態が解状態になっている。
【００８４】
図１９Ａ、１９および１９Ｃは、図１２の手順と同様の手順に従って、図１４のエリア２のＩＰ携帯電話機１０とエリア３のＩＰ電話機７０の間で通話セッションを確立し、かつエリア２の複数の情報処理機器３２、３４および３６とエリア３の情報処理機器７０の間でＰ２Ｐ通信セッションを確立するための他の画面の例を示している。この場合、図１２において、ユーザＡのＩＰ携帯電話機１０および情報処理機器３０の位置とユーザＢのＩＰ電話機７０および情報処理機器８０の位置とが入れ替わる。
【００８５】
図１９Ａは図１８Ａと同様である。図１９Ｂも図１８Ｂと同様である。ユーザＢがメニューＭ５中の“電話＆データ共有２”にカーソルをおいてクリックしてそれを選択すると、ユーザＢのＩＰ電話機７０はＩＰ携帯電話機１０に発呼して通話セッションを確立し、さらに、情報処理機器８０と、ＩＰ携帯電話機１０の近傍にありＩＰ携帯電話機１０に関連づけられたユーザＡ、ＣおよびＤの情報処理機器３２、３４および３６（登録名“ＷＳｐｃ”、“ＮｐｃＬＸ”および“Ｎｐｃ５０”）との間にＰ２Ｐ通信セッションが確立され、図１９Ｃの画面が表示される。図１９Ｃにおいて、ユーザＡの登録された情報処理機器（Ｎｐｃ７０）はセッション状態が確立状態になり、ユーザＣおよびＤの情報処理機器３４および３６（登録名“Ｎｐｃ”および“Ｎｐｃ５０”）はセッション状態が確立状態になる。
【００８６】
図２０Ａは、図２のＩＰ携帯電話機１０および情報処理機器３０による呼制御管理サーバ６０への登録の通信手順を示している。
【００８７】
手順１００２においてユーザＡの操作によって登録アプリケーションを用いてＩＰ携帯電話機１０の登録が開始され、ユーザＡはキー１０５を用いてＩＰ携帯電話機１０の登録名およびユーザ名をＩＰ携帯電話機１０に入力する。手順１００４において、ＩＰ携帯電話機１０（プロセッサ１０２）は、ＩＰパケット中で登録項目を含むテキスト形式のＲＥＧＩＳＴＥＲ（レジスタ）のＳＩＰメッセージを呼制御管理サーバ６０に送信する。そのＳＩＰメッセージは、リクエスト・ラインとして“ＲＥＧＩＳＴＥＲ”（レジスタ）、ヘッダ・フィールドとして所定の制御情報（例えば、ＦｒｏｍヘッダおよびＴｏヘッダとして登録名（電話機名称）およびＩＰアドレスを含むＳＩＰ  ＵＲＩ“ｓｉｐ：ＩＰ−Ｐｈｎ１＠１０．１０．１０．１”）、ボディとしてＩＰ携帯電話機１０のユーザ名を含んでいる。
【００８８】
手順１００６において、呼制御管理サーバ６０（プロセッサ６２）は、記憶装置６３の登録テーブルまたはデータベースにＩＰ携帯電話機１０の登録名（電話機名称）、ＩＰアドレスおよびユーザ名を保存する。
【００８９】
手順１００８において、呼制御管理サーバ６０（プロセッサ６２）は、ＩＰパケット中で２００  ＯＫのＳＩＰ応答メッセージをＩＰ携帯電話機１０に送信し返す。そのＳＩＰ応答メッセージは、レスポンス・ラインとして“２００  ＯＫ”、ヘッダ・フィールドとして所定の制御情報（例えば、ＦｒｏｍヘッダおよびＴｏヘッダとして登録名およびＩＰアドレスを含むＳＩＰ  ＵＲＩ“ｓｉｐ：ＩＰ−Ｐｈｎ１＠１０．１０．１０．１”）、およびボディとして任意の情報を含んでいる。
【００９０】
手順１０１２においてユーザＡの操作によってＩＰ携帯電話機１０の登録アプリケーション（１０３）が起動されて情報処理機器３０の登録が開始される。手順１０１６において、ＩＰ携帯電話機１０（１０２）は、リーダ／ライタ装置１４０に情報処理機器３０のＲＦ  ＩＤタグ３２０のタグＩＤ等のタグ情報を読み取らせて記憶装置１０３に保存する。
【００９１】
手順１０１８において、ユーザＡは、ＩＰ携帯電話機１０のキー１０５を用いてＩＰ携帯電話機１０の登録名、および情報処理機器３０の登録名および現在のＩＰアドレスおよびユーザ名を入力して登録を開始する。手順１０２０において、ＩＰ携帯電話機１０（プロセッサ１０２）は、ＩＰパケット中で登録項目を含むテキスト形式のＲＥＧＩＳＴＥＲのＳＩＰメッセージを呼制御管理サーバ６０に送信する。そのＳＩＰメッセージは、リクエスト・ラインとしてＲＥＧＩＳＴＥＲ（レジスタ）、ヘッダ・フィールドとして所定の制御情報（例えば、ＦｒｏｍヘッダおよびＴｏヘッダとして登録名（電話機名称）およびＩＰアドレスを含むＳＩＰ  ＵＲＩ“ｓｉｐ：ＩＰ−Ｐｈｎ１＠１０．１０．１０．１”）、ボディとしてＲＦ  ＩＤタグ３２０のタグＩＤ、および情報処理機器３０の登録名、ＩＰアドレスおよびユーザ名“Ａ”を含んでいる。
【００９２】
手順１０２２において、呼制御管理サーバ６０（プロセッサ６２）は、記憶装置６３の登録テーブルに、情報処理機器３０のタグＩＤ、登録名、ＩＰアドレスおよびユーザ名を保存する。
【００９３】
手順１０２４において、呼制御管理サーバ６０（プロセッサ６２）は、ＩＰパケット中で２００  ＯＫのＳＩＰ応答メッセージをＩＰ携帯電話機１０に送信し返す。そのＳＩＰ応答メッセージは、レスポンス・ラインとして２００  ＯＫ、ヘッダ・フィールドとして所定の制御情報（例えば、ＦｒｏｍヘッダおよびＴｏヘッダとして登録名およびＩＰアドレスを含むＳＩＰ  ＵＲＩ“ｓｉｐ：ＩＰ−Ｐｈｎ１＠１０．１０．１０．１”）、およびボディとして任意の情報を含んでいる。その後、手順１０２８において、リーダ／ライタ装置１４０は、ＲＦ  ＩＤタグの検知を繰り返す。
【００９４】
図２０Ｂは、図２の情報処理機器３０による呼制御管理サーバ６０への、登録された電話機および情報処理機器のセッションの状態の問い合わせの手順を示している。手順７３４〜７３８は図８Ｂのものと同様である。
【００９５】
図２１Ａは、図２のＩＰ携帯電話機１０および情報処理機器３０による呼制御管理サーバ６０への登録の別の通信手順を示している。
【００９６】
手順１００３においてユーザＡの操作によって登録アプリケーションを用いて情報処理機器３０の登録が開始され、情報処理機器３０の入力装置３０６を用いて情報処理機器３０の登録名およびユーザ名を情報処理機器３０に入力する。手順１００５において、情報処理機器３０（プロセッサ３０２）は、ＩＰパケット中で登録項目を含むテキスト形式のＲＥＧＩＳＴＥＲ（レジスタ）のＳＩＰメッセージを呼制御管理サーバ６０に送信する。そのＳＩＰメッセージは、リクエスト・ラインとして“ＲＥＧＩＳＴＥＲ”（レジスタ）、ヘッダ・フィールドとして所定の制御情報（例えば、ＦｒｏｍヘッダおよびＴｏヘッダとして登録名（情報処理機器名称）およびＩＰアドレスを含むＳＩＰ  ＵＲＩ“ｓｉｐ：Ｗｓｐｃ＠１０．１０．２０．２”）、ボディとしてＲＦ  ＩＤタグ３２０のタグＩＤおよびユーザ名“Ａ”を含んでいる。
【００９７】
手順１００７において、呼制御管理サーバ６０（プロセッサ６２）は、記憶装置６３の登録テーブルまたはデータベースに情報処理機器３０のタグＩＤおよび登録名（情報処理機器名称）、ＩＰアドレスおよびユーザ名を保存する。
【００９８】
手順１００９において、呼制御管理サーバ６０（プロセッサ６２）は、ＩＰパケット中で２００  ＯＫのＳＩＰ応答メッセージを情報処理機器３０に送信し返す。そのＳＩＰ応答メッセージは、レスポンス・ラインとして“２００  ＯＫ”、ヘッダ・フィールドとして所定の制御情報（例えば、ＦｒｏｍヘッダおよびＴｏヘッダとして登録名およびＩＰアドレスを含むＳＩＰ  ＵＲＩ“ｓｉｐ：Ｗｓｐｃ＠１０．１０．２０．２”）、およびボディとして任意の情報を含んでいる。
【００９９】
手順１０１２においてユーザＡの操作によってＩＰ携帯電話機１０の登録アプリケーション（１０３）が起動されてＩＰ携帯電話機１０の登録が開始される。手順１０１６において、ＩＰ携帯電話機１０（１０２）は、リーダ／ライタ装置１４０に情報処理機器３０のＲＦ  ＩＤタグ３２０のタグＩＤ等のタグ情報を読み取らせて記憶装置１０３に保存する。
【０１００】
手順１０１９において、ユーザＡは、ＩＰ携帯電話機１０のキー１０５を用いてＩＰ携帯電話機１０の登録名およびユーザ名を入力して呼制御管理サーバ６０へのＩＰ携帯電話機１０の登録を開始する。手順１０２１において、ＩＰ携帯電話機１０（プロセッサ１０２）は、ＩＰパケット中で登録項目を含むテキスト形式のＲＥＧＩＳＴＥＲのＳＩＰメッセージを呼制御管理サーバ６０に送信する。そのＳＩＰメッセージは、リクエスト・ラインとしてＲＥＧＩＳＴＥＲ（レジスタ）、ヘッダ・フィールドとして所定の制御情報（例えば、ＦｒｏｍヘッダおよびＴｏヘッダとして登録名（電話機名称）およびＩＰアドレスを含むＳＩＰ  ＵＲＩ“ｓｉｐ：ＩＰ−Ｐｈｎ１＠１０．１０．１０．１”）、ボディとしてＩＰ携帯電話機１０の登録名、ＩＰアドレス、ユーザ名“Ａ”および情報処理機器３０のタグＩＤを含んでいる。
【０１０１】
手順１０２３において、呼制御管理サーバ６０（プロセッサ６２）は、記憶装置６３の登録テーブルに、情報処理機器３０のタグＩＤ、ＩＰ携帯電話機１０の登録名、ＩＰアドレスおよびユーザ名を保存する。
【０１０２】
手順１０２５において、呼制御管理サーバ６０（プロセッサ６２）は、ＩＰパケット中で２００  ＯＫのＳＩＰ応答メッセージをＩＰ携帯電話機１０に送信し返す。そのＳＩＰ応答メッセージは、レスポンス・ラインとして２００  ＯＫ、ヘッダ・フィールドとして所定の制御情報（例えば、ＦｒｏｍヘッダおよびＴｏヘッダとして登録名およびＩＰアドレスを含むＳＩＰ  ＵＲＩ“ｓｉｐ：ＩＰ−Ｐｈｎ１＠１０．１０．１０．１”）、およびボディとして任意の情報を含んでいる。その後、手順１０２８において、リーダ／ライタ装置１４０は、ＲＦ  ＩＤタグの検知を繰り返す。
【０１０３】
図２２は、図２のＩＰ携帯電話機１０による呼制御管理サーバ６０における情報処理機器３０、３２または３４のデータの更新の手順を示している。
【０１０４】
手順１０２８において、ユーザＡは、ＩＰ携帯電話機１０を操作してリーダ／ライタ装置１４０にＲＦ  ＩＤタグの周期的な検知を開始させる。例えば情報処理機器３０がリーダ／ライタ装置３２０に近づくと、手順１０５０において、リーダ／ライタ装置１４０は情報処理機器３０のＲＦ  ＩＤタグ３２０のタグＩＤを読み取り、ＩＰ携帯電話機１０のプロセッサ１０２はそのタグＩＤおよび近傍フラグの値“１”を記憶装置１０３に格納する。この場合、近傍フラグは、タグＩＤに対応する情報処理機器３０がＩＰ携帯電話機１０の近傍にあるかどうかを示している。ＩＰ携帯電話機１０（プロセッサ１０２）は、手順１０５２において、情報処理機器３０のタグＩＤ、ＩＰ携帯電話機１０の登録名および状態フラグの値（＝１）を含むＲＥＧＩＳＴＥＲのＳＩＰメッセージを呼制御管理サーバ６０に送信する。
【０１０５】
手順１０５４において、呼制御管理サーバ６０（プロセッサ６２）は、ＲＥＧＩＳＴＥＲのＳＩＰメッセージを受信し、登録テーブルにおいて、ＩＰ携帯電話機１０の登録名に関連づけられたそのタグＩＤを有する情報処理機器３０の登録名の近傍フラグの値を“１”にセットしまたは更新する。情報処理機器３０の登録名がＩＰ携帯電話機１０の登録名に関連づけられていない場合には、そのような更新を行わない。代替構成として、情報処理機器３０の登録名がＩＰ携帯電話機１０の登録名に関連づけられていない場合には、情報処理機器３０の登録名を他の電話機（１０）の登録名に関連づける別のエントリが存在する場合にだけ、呼制御管理サーバ６０（プロセッサ６２）は、その別のエントリを参照して、情報処理機器３０の登録名をＩＰ携帯電話機１０の登録名に関連づけるエントリを生成して登録テーブルに追加し、そのタグＩＤを記録し、その近傍フラグの値を“１”にセットしてもよい。手順１０５６において、呼制御管理サーバ６０（プロセッサ６２）は、２００  ＯＫのＳＩＰ応答メッセージをＩＰ携帯電話機１０に送信し返す。
【０１０６】
情報処理機器３０がＩＰ携帯電話機１０から離れると、手順１０６０において、リーダ／ライタ装置１４０は情報処理機器３０のＲＦ  ＩＤタグ３２４の読み取りに失敗し、ＩＰ携帯電話機１０のプロセッサ１０２はＲＦ  ＩＤタグ３２０のタグＩＤの近傍フラグの値“０”を記憶装置１０３に格納する。ＩＰ携帯電話機１０（プロセッサ１０２）は、手順１０６２において、情報処理機器３０のタグＩＤ、ＩＰ携帯電話機１０の登録名および状態フラグの値（＝０）を含むＲＥＧＩＳＴＥＲのＳＩＰメッセージを呼制御管理サーバ６０に送信する。
【０１０７】
手順１０６４において、呼制御管理サーバ６０（プロセッサ６２）は、ＲＥＧＩＳＴＥＲのＳＩＰメッセージを受信し、登録テーブルにおいて、ＩＰ携帯電話機１０の登録名にそのタグＩＤを有する情報処理機器３０の登録名を関連づけるエントリにおける近傍フラグの値を“０”に更新する。近傍フラグ値が“０”となったエントリにおけるＩＰ携帯電話機またはＩＰ電話機のユーザ名と情報処理機器のユーザ名が異なる場合は、呼制御管理サーバ６０（プロセッサ６２）はそのエントリを削除してもよい。手順１０６６において、呼制御管理サーバ６０（プロセッサ６２）は、２００  ＯＫのＳＩＰ応答メッセージをＩＰ携帯電話機１０に送信し返す。手順１０６８において、ＩＰ携帯電話機１０のリーダ／ライタ装置１４０はＲＦ  ＩＤタグの周期的な検知を継続する。
【０１０８】
図２３は、図２の構成において、最初のエリア１または移動先のエリア２においてユーザＡの操作によりＩＰ携帯電話機１０がＩＰネットワーク５を介してＩＰ電話機７０を呼び出して呼を確立し、その後、ＩＰ携帯電話機１０を所持するユーザＡが移動先のエリア２において情報処理機器３２とエリア３の情報処理機器８０を互いに接続させるための通信手順を示している。
【０１０９】
手順８１２〜８３４および８４６〜８５６は、図１３のものと同様である。
【０１１０】
手順１１００において、ＩＰ携帯電話機１０のリーダ／ライタ装置１４０は、ＲＦ  ＩＤタグの検知を繰り返す。ＩＰ携帯電話機１０がエリア２における情報処理機器３２に近づくと、手順１１０２において、図２２の手順１０５０と同様に、リーダ／ライタ装置１４０は情報処理機器３２のＲＦ  ＩＤタグ３２２のタグＩＤを読み取り、ＩＰ携帯電話機１０のプロセッサ１０２はそのタグＩＤおよび近傍フラグの値（値１）を記憶装置１０３に格納する。ＩＰ携帯電話機１０（プロセッサ１０２）は、手順１１０４において、図２２の手順１０５２と同様に、情報処理機器３２のタグＩＤ、ＩＰ携帯電話機１０の登録名および状態フラグの値（＝１）を含むＲＥＧＩＳＴＥＲのＳＩＰメッセージを呼制御管理サーバ６０に送信する。
【０１１１】
図２３の手順８６６〜８７２および手順８７６は、図１３のものと同様である。
【０１１２】
図２４は、図２の構成において、図１１、１２および２２によるユーザＡのＩＰ携帯電話機１０とユーザＢのＩＰ電話機７０の間の通信セッション８５６の確立およびそれに関連づけられた情報処理機器３２と８０の間の通信セッション８７６の確立の後で、ユーザＣの情報処理機器３４が他の情報処理機器３２および８０との間でＰ２Ｐ多者間通信セッションを確立するための通信手順を示している。
【０１１３】
手順１１００〜１１０４は、図２３のものと同様である。手順１１０４において、情報処理機器３４のタグＩＤ、ＩＰ携帯電話機１０の登録名および状態フラグの値（＝１）を含むＲＥＧＩＳＴＥＲのＳＩＰメッセージを呼制御管理サーバ６０に送信する。手順１１０６において、呼制御管理サーバ６０（プロセッサ６２）は、図１５の手順９０６と同様に、登録テーブルにおいてＩＰ携帯電話機１０の登録名にエリア２の情報処理機器３４の登録名を関連づけるエントリにおける近傍フラグを“１”にセットし、さらに、登録テーブルを検索して、情報処理機器８０と通信セッションが確立された状態にあり近傍フラグ値“１”を有しＩＰ携帯電話機１０に関連づけられた情報処理機器３２と、情報処理機器３２と通信セッションが確立された状態にあり近傍フラグ値“１”を有しＩＰ電話機７０に関連づけられた情報処理機器８０と、変更された近傍フラグ値“１”を有しＩＰ携帯電話機１０に関連づけられた情報処理機器３４と、を決定する。手順９０８〜９２０は、図１５のものと同様である。
【０１１４】
図３の構成において、ＩＰ携帯電話機１０、ＩＰ電話機７０、情報処理機器３０、３２、３４および８０は、上述した図１の場合の機能と図２の場合の機能の双方の機能を有する。
【０１１５】
以上では、本発明を２者のユーザ間のＩＰ電話による通話について説明したが、本発明は、３者以上のユーザ間のＩＰ電話による３者通話または会議通話において３つ以上のＩＰ電話機に関連づけられた情報処理機器の相互接続にも同様に適用可能であることは明らかである。
【０１１６】
以上説明した実施形態は典型例として挙げたに過ぎず、その実施形態の変形およびバリエーションは当業者にとって明らかであり、当業者であれば本発明の原理および請求の範囲に記載した発明の範囲を逸脱することなく上述の実施形態の種々の変形を行えることは明らかである。
【０１１７】
以上の実施例を含む実施形態に関して、さらに以下の付記を開示する。
（付記１）  ＩＰネットワークに接続される、呼制御および管理を行う呼制御管理情報処理装置、非接触情報記憶装置および／または非接触読取り書込み装置を有する第１のＩＰ電話機、非接触読取り書込み装置および／または非接触情報記憶装置を有する第１の情報処理機器、第２のＩＰ電話機および第２の情報処理機器を含むシステムであって、
前記呼制御管理情報処理装置は、前記第１のＩＰ電話機の第１の電話機識別情報および第１のＩＰアドレスと、第１の関連性識別情報によって前記第１のＩＰ電話機に関連づけられた前記第１の情報処理機器の第１の機器識別情報および第２のＩＰアドレスと、前記第２のＩＰ電話機の第２の電話機識別情報および第３のＩＰアドレスと、前記第２のＩＰ電話機に関連づけられた前記第２の情報処理機器の第２の機器識別情報および第４のＩＰアドレスとを、登録情報として格納し、
前記呼制御管理情報処理装置は、前記第１のＩＰ電話機または前記第１の情報処理機器からのセッション確立を要求するメッセージを受信したとき、前記登録情報に基づいて、前記第１のＩＰ電話機と前記第２のＩＰ電話機の間のセッション確立を要求するメッセージを前記第１のＩＰ電話機の前記第１のＩＰアドレスおよび前記第２のＩＰ電話機の前記第３のＩＰアドレスを用いて送信して、前記第１のＩＰ電話機と前記第２のＩＰ電話機の間にセッションを確立し、前記登録情報に基づいて、前記第１と第２の情報処理機器のうちの一方の情報処理機器のＩＰアドレスをその他方の情報処理機器に通知して前記第１の情報処理機器と前記第２の情報処理機器の間にセッションを確立するよう構成されていることを特徴とする、システム。
（付記２）  前記第１の関連性識別情報は前記第１のＩＰ電話機の非接触情報記憶装置に格納されており、
前記第１の関連性識別情報は、前記第１の情報処理機器の非接触読取り書込み装置によって読み取られ、前記第１の情報処理機器は、前記第１の関連性識別情報および前記第１の情報処理機器の第１の機器識別情報を前記呼制御管理情報処理装置に送信するものであることを特徴とする、付記１に記載のシステム。
（付記３）  前記第１の関連性識別情報は前記第１の情報処理機器の非接触情報記憶装置に格納されており、
前記第１の関連性識別情報は、前記第１のＩＰ電話機の非接触読取り書込み装置によって読み取られ、前記第１のＩＰ電話機は、前記第１の関連性識別情報および前記第１のＩＰ電話機の第１の電話機識別情報を前記呼制御管理情報処理装置に送信するものであることを特徴とする、付記１に記載のシステム。
（付記４）  前記第１のＩＰ電話機がＩＰ携帯電話機であることを特徴とする、付記１乃至３のいずれかに記載のシステム。
（付記５）  前記メッセージが前記第１のＩＰ電話機と前記第２のＩＰ電話機の間にセッションを確立する要求であった場合は、前記呼制御管理情報処理装置は、前記登録情報に基づいて、前記第１のＩＰ電話機と前記第２のＩＰ電話機の間にセッションを確立し、さらに前記第１の情報処理機器と前記第２の情報処理機器の間にセッションを確立することを特徴とする、付記１乃至４のいずれかに記載のシステム。
（付記６）  前記メッセージが前記第１の情報処理機器と前記第２の情報処理機器の間にセッションを確立する要求であった場合は、前記呼制御管理情報処理装置は、前記登録情報に基づいて、前記第１の情報処理機器と前記第２の情報処理機器の間にセッションを確立し、さらに前記第１のＩＰ電話機と前記第２のＩＰ電話機の間にセッションを確立することを特徴とする、付記１乃至４のいずれかに記載のシステム。
（付記７）  前記メッセージが前記第１のＩＰ電話機と前記第２のＩＰ電話機の間にセッションを確立する要求であった場合は、前記呼制御管理情報処理装置は、前記登録情報に基づいて、前記第１のＩＰ電話機と前記第２のＩＰ電話機の間にセッションを確立し、
その後、前記第１のＩＰ電話機と前記第１の情報処理機器とが接近して前記第１のＩＰ電話機または前記第１の情報処理機器の非接触情報記憶装置の前記第１の関連性識別情報が前記第１の情報処理機器または前記第１のＩＰ電話機の非接触読取り書込み装置によって検出された場合に、前記第１の情報処理機器または前記第１のＩＰ電話機は、前記第１のＩＰ電話機と前記第１の情報処理機器の接近を表す接近情報を前記呼制御管理情報処理装置に送信し、
前記呼制御管理情報処理装置は、前記接近情報の受信に応答して、前記登録情報に基づいて、前記第１の情報処理機器と前記第２の情報処理機器の間にセッションを確立するよう構成されていることを特徴とする、付記１乃至４のいずれかに記載のシステム。
（付記８）  前記システムは、さらに、非接触読取り書込み装置および／または非接触情報記憶装置を有する第３の情報処理機器を含み、
前記第１のＩＰ電話機と前記第２のＩＰ電話機の間にセッションが確立されている期間に、前記第１のＩＰ電話機と前記第３の情報処理機器とが接近して前記第１のＩＰ電話機の非接触情報記憶装置の前記第１の関連性識別情報が前記第３の情報処理機器の非接触読取り書込み装置によって検出されまたは前記第３の情報処理機器の非接触情報記憶装置の第２の関連性識別情報が前記第１のＩＰ電話機の非接触読取り書込み装置によって検出された場合に、前記第３の情報処理機器または前記第１のＩＰ電話機は、前記第１のＩＰ電話機と前記第３の情報処理機器の接近を表す接近情報を前記呼制御管理情報処理装置に送信し、
前記呼制御管理情報処理装置は、前記接近情報の受信に応答して、前記登録情報に基づいて、前記第１の情報処理機器および前記第２の情報処理機器と前記第３の情報処理機器との間にセッションを確立することを特徴とする、付記１乃至４のいずれかに記載のシステム。
（付記９）  前記システムは、さらに、非接触読取り書込み装置および／または非接触情報記憶装置を有する第３の情報処理機器を含み、
前記第１のＩＰ電話機と前記第２のＩＰ電話機の間にセッションが確立されている期間に、前記第１のＩＰ電話機と前記第３の情報処理機器とが接近して前記第１のＩＰ電話機の非接触情報記憶装置の前記第１の関連性識別情報が前記第３の情報処理機器の非接触読取り書込み装置によって検出されまたは前記第３の情報処理機器の非接触情報記憶装置の第２の関連性識別情報が前記第１のＩＰ電話機の非接触読取り書込み装置によって検出された場合に、前記第３の情報処理機器または前記第１のＩＰ電話機は、前記第１のＩＰ電話機と前記第３の情報処理機器の接近を表す接近情報を前記呼制御管理情報処理装置に送信し、
前記呼制御管理情報処理装置は、前記接近情報の受信に応答して、前記登録情報に基づいて、前記第１の情報処理機器および前記第２の情報処理機器と前記第３の情報処理機器の間にセッションを確立するのを許可するかどうかの問い合わせを前記第１の情報処理機器または前記第１のＩＰ電話機に送信し、前記問い合わせに対して前記第１の情報処理機器または前記第１のＩＰ電話機から許可を受信したことに応答して、前記第３の情報処理機器にセッションを確立させることを特徴とする、付記１乃至７のいずれかに記載のシステム。
（付記１０）  ＩＰネットワークに接続される、呼制御および管理を行う呼制御管理情報処理装置、第１の非接触情報記憶装置を有する第１のＩＰ電話機、第２のＩＰ電話機、第１の非接触読取り書込み装置を有する第１の情報処理機器、第２の情報処理機器、および第２の非接触読取り書込み装置を有する第３の情報処理機器を含むシステムであって、
前記呼制御管理情報処理装置は、前記第１のＩＰ電話機の第１の電話機識別情報および第１のＩＰアドレスと、前記第１の非接触情報記憶装置の第１の関連性識別情報によって前記第１のＩＰ電話機に関連づけられた前記第１の情報処理機器の第１の機器識別情報および第２のＩＰアドレスと、前記第２のＩＰ電話機の第２の電話機識別情報および第３のＩＰアドレスと、前記第２のＩＰ電話機に関連づけられた前記第２の情報処理機器の第１の機器識別情報および第４のＩＰアドレスと、前記第１の関連性識別情報によって前記第１のＩＰ電話機に関連づけられた前記第３の情報処理機器の第３の機器識別情報および第５のＩＰアドレスと、を登録情報として格納し、
前記第１のＩＰ電話機と前記第１の情報処理機器および前記第３の情報処理機器とが接近して前記第１の非接触情報記憶装置の前記第１の関連性識別情報が前記第１と第２の非接触読取り書込み装置によって検出された場合に、前記第１の情報処理機器および前記第３の情報処理機器は、前記第１のＩＰ電話機への接近を表す接近情報を前記呼制御管理情報処理装置に送信し、
前記呼制御管理情報処理装置は、前記接近情報を前記登録情報の一部として格納し、
前記呼制御管理情報処理装置は、前記第１のＩＰ電話機または前記第１の情報処理機器からセッション確立を要求するメッセージを受信したとき、前記登録情報に基づいて、前記第１のＩＰ電話機と前記第２のＩＰ電話機の間のセッション確立を要求するメッセージを前記第１のＩＰ電話機の前記第１のＩＰアドレスおよび前記第２のＩＰ電話機の前記第３のＩＰアドレスを用いて送信して、前記第１のＩＰ電話機と前記第２のＩＰ電話機の間にセッションを確立し、前記登録情報に基づいて、前記第１、第２および第３の情報処理機器のうちの一方の情報処理機器のＩＰアドレスをその他方の情報処理機器に通知して、前記第１の情報処理機器、前記第２の情報処理機器および前記第３の情報処理機器の間にセッションを確立するよう構成されていることを特徴とする、システム。
（付記１１）  前記登録情報は、さらに、前記第１と第２の電話機および前記第１と第２の情報処理機器のセッション状態、前記第１の情報処理機器が前記第１のＩＰ電話機の近傍にあるかどうかを示す接近情報、および前記第２の情報処理機器が前記第２のＩＰ電話機の近傍にあるかどうかを示す接近情報を含んでいることを特徴とする、付記１乃至１０のいずれかに記載のシステム。
（付記１２）  前記第１の情報処理機器が、前記呼制御管理情報処理装置から前記登録情報を取得して前記第１の情報処理機器の表示装置に表示することを特徴とする、付記１乃至１１のいずれかに記載のシステム。
（付記１３）  前記第１の情報処理機器は、前記第２の情報処理機器の前記第４のＩＰアドレスを受信したときに、Ｐ２Ｐ通信用のアプリケーションを起動することを特徴とする、付記１乃至１２のいずれかに記載のシステム。
（付記１４）  ＩＰネットワークを介して第１のＩＰ電話機と第２のＩＰ電話機の間にセッションを確立し、前記ＩＰネットワークを介して第１の情報処理機器と第２の情報処理機器の間にセッションを確立させる呼制御管理情報処理装置であって、
前記第１のＩＰ電話機は非接触情報記憶装置および／または非接触読取り書込み装置を有し、前記第１の情報処理機器は、非接触読取り書込み装置および／または非接触情報記憶装置を有するものであり、
前記第１のＩＰ電話機の第１の電話機識別情報および第１のＩＰアドレスと、第１の関連性識別情報によって前記第１のＩＰ電話機に関連づけられた前記第１の情報処理機器の機器識別情報および第２のＩＰアドレスと、前記第２のＩＰ電話機の電話機識別情報および第３のＩＰアドレスと、前記第２のＩＰ電話機に関連づけられた前記第２の情報処理機器の機器識別情報および第４のＩＰアドレスとを、登録情報として格納する記憶手段と、
前記第１のＩＰ電話機または前記第１の情報処理機器からのセッション確立を要求するメッセージを受信したとき、前記登録情報に基づいて、前記第１のＩＰ電話機と前記第２のＩＰ電話機の間のセッション確立を要求するメッセージを前記第１のＩＰ電話機の前記第１のＩＰアドレスおよび前記第２のＩＰ電話機の前記第３のＩＰアドレスを用いて送信して、前記第１のＩＰ電話機と前記第２のＩＰ電話機の間にセッションを確立し、前記登録情報に基づいて、前記第１と第２の情報処理機器のうちの一方の情報処理機器のＩＰアドレスをその他方の情報処理機器に通知して前記第１の情報処理機器と前記第２の情報処理機器の間にセッションを確立するよう構成されているセッション処理手段と、
を具えることを特徴とする、呼制御管理情報処理装置。
（付記１５）  ＩＰネットワークに接続された呼制御管理情報処理装置用のプログラムであって、
第１のＩＰ電話機の第１の電話機識別情報および第１のＩＰアドレスと、第１の関連性識別情報によって前記第１のＩＰ電話機に関連づけられる第１の情報処理機器の第１の機器識別情報および第２のＩＰアドレスと、第２のＩＰ電話機の電話機識別情報および第３のＩＰアドレスと、前記第２のＩＰ電話機に関連づけられる前記第２の情報処理機器の第２の機器識別情報および第４のＩＰアドレスとを、登録情報として記憶手段に格納するステップと、
前記第１のＩＰ電話機または前記第１の情報処理機器からのセッション確立を要求するメッセージを受信したとき、前記登録情報に基づいて、前記第１のＩＰ電話機と前記第２のＩＰ電話機の間のセッション確立を要求するメッセージを前記第１のＩＰ電話機の前記第１のＩＰアドレスおよび前記第２のＩＰ電話機の前記第３のＩＰアドレスを用いて送信して、前記第１のＩＰ電話機と前記第２のＩＰ電話機の間にセッションを確立し、前記登録情報に基づいて、前記第１と第２の情報処理機器のうちの一方の情報処理機器のＩＰアドレスをその他方の情報処理機器に通知して前記第１の情報処理機器と前記第２の情報処理機器の間にセッションを確立させるステップと、
を実行させるよう動作可能なプログラム。
（付記１６）  ＩＰネットワークに接続された呼制御管理情報処理装置において、前記ＩＰネットワークを介して第１のＩＰ電話機と第２のＩＰ電話機の間にセッションを確立させ、前記ＩＰネットワークを介して第１の情報処理機器と第２の情報処理機器の間にセッションを確立させる方法であって、
前記第１のＩＰ電話機は非接触情報記憶装置および／または非接触読取り書込み装置を有し、前記第１の情報処理機器は、非接触読取り書込み装置および／または非接触情報記憶装置を有するものであり、
前記第１のＩＰ電話機の第１の電話機識別情報および第１のＩＰアドレスと、第１の関連性識別情報によって前記第１のＩＰ電話機に関連づけられた前記第１の情報処理機器の第１の機器識別情報および第２のＩＰアドレスと、前記第２のＩＰ電話機の電話機識別情報および第３のＩＰアドレスと、前記第２のＩＰ電話機に関連づけられた前記第２の情報処理機器の第２の機器識別情報および第４のＩＰアドレスとを、登録情報として格納し、
前記第１のＩＰ電話機または前記第１の情報処理機器からのセッション確立を要求するメッセージを受信したとき、前記登録情報に基づいて、前記第１のＩＰ電話機と前記第２のＩＰ電話機の間のセッション確立を要求するメッセージを前記第１のＩＰ電話機の前記第１のＩＰアドレスおよび前記第２のＩＰ電話機の前記第３のＩＰアドレスを用いて送信して、前記第１のＩＰ電話機と前記第２のＩＰ電話機の間にセッションを確立し、前記登録情報に基づいて、前記第１と第２の情報処理機器のうちの一方の情報処理機器のＩＰアドレスをその他方の情報処理機器に通知して前記第１の情報処理機器と前記第２の情報処理機器の間にセッションを確立させること、
を特徴とする方法。
【図面の簡単な説明】
【０１１８】
【図１】図１は、本発明の実施形態による、ＩＰネットワーク上で呼の制御および管理を行う呼制御管理サーバと、或るエリア１および２のアクセス・ポイントを介してＩＰネットワークに接続できるＩＰ携帯電話機と、エリア１に位置しＩＰネットワークに接続される情報処理機器と、エリア２に位置しハブを介してＩＰネットワークに接続される情報処理機器と、別のエリア３に位置しＩＰネットワークに接続されたＩＰ電話機および情報処理機器と、からなるシステムを示している。
【図２】図２は、図１の実施形態の変形であり、本発明の別の実施形態による別のシステムを示している。
【図３】図３は、図１および２の実施形態を組み合わせた別の変形であり、本発明のさらに別の実施形態による別のシステムを示している。
【図４】図４は、図１〜３のＩＰ携帯電話機およびＩＰ電話機の各々の概略的な構成を示している。
【図５】図５は、情報処理機器の各々の概略的な構成を示している。
【図６】図６は、呼制御管理サーバの概略的な構成を示している。
【図７】図７は、ＩＰ携帯電話機およびＩＰ電話機の各々のプロセッサおよび情報処理機器の各々のプロセッサによって登録アプリケーションを用いて実行される、そのＩＰアドレスを登録するためのフローチャートを示している。
【図８】図８Ａは、図１のＩＰ携帯電話機および情報処理機器による呼制御管理サーバへの登録の通信手順を示している。図８Ｂは、図１の情報処理機器による呼制御管理サーバへの、登録された電話機および情報処理機器のセッションの状態の問い合わせの手順を示している。
【図９】図９は、図１の情報処理機器による呼制御管理サーバにおける情報処理機器のデータの更新の手順を示している。
【図１０】図１０は、呼制御管理サーバの記憶装置に格納されている登録テーブルの例を示している。
【図１１】図１１は、図８ＡによるＩＰ携帯電話機、ＩＰ電話機および情報処理機器の呼制御サーバへの登録の後で、ＩＰ携帯電話機がＩＰネットワークを介してＩＰ電話機を呼び出し次いでそれらに対応する情報処理機器を互いに接続させるための通信手順を示している。
【図１２】図１２は、図８ＡによるＩＰ携帯電話機、ＩＰ電話機および情報処理機器の呼制御サーバへの登録の後で、情報処理機器がＩＰネットワークを介して情報処理機器のＰ２Ｐ通信アプリケーションを起動してＰ２Ｐ通信可能な状態に設定し次いでそれらに対応するＩＰ携帯電話機を呼び出すための通信手順を示している。
【図１３】図１３は、図１の構成において、最初のエリア１または移動先のエリア２においてＩＰ携帯電話機がＩＰネットワークを介してエリア３のＩＰ電話機を呼び出して呼を確立し、その後、ＩＰ携帯電話機を所持するユーザが移動先のエリア２において情報処理機器とエリア３の情報処理機器を互いに接続させるための通信手順を示している。
【図１４】図１４は、本発明のさらに別の実施形態による、エリア２に設けられたアクセス・ポイントを介してＩＰネットワークに接続されるＩＰ携帯電話機と、エリア２の会議用テーブル上に位置しハブを介してＩＰネットワークに接続される情報処理機器とを示している。
【図１５】図１５は、図１の構成において、図１１〜１３の手順によるＩＰ携帯電話機とＩＰ電話機の間の通信セッションの確立およびそれに関連づけられた情報処理機器の間の通信セッションの確立の後で、ユーザＣの情報処理機器が他の情報処理機器との間でＰ２Ｐ多者間通信セッションを確立するための通信手順の例を示している。
【図１６】図１６は、図１４のエリア２においてＩＰ携帯電話機の付近に位置する複数のユーザＣおよびＤの情報処理機器が追加的に登録されたときの呼制御管理サーバの記憶装置に格納されている登録テーブルの例を示している。
【図１７】図１７Ａ、１７Ｂ、１７Ｃおよび１７Ｄは、図１２の手順に従って、図１４のエリア２のＩＰ携帯電話機とエリア３のＩＰ電話機の間で通話セッションを確立し、かつエリア２の複数の情報処理機器とエリア３の情報処理機器の間でデータ共有のためのＰ２Ｐ通信セッションを確立するための画面の例を示している。
【図１８】図１８Ａ、１８Ｂおよび１８Ｃは、図１４のエリア２のＩＰ携帯電話機の付近に他の情報処理機器が位置するときに、図８Ｂの手順に従って、情報処理機器上で呼制御管理サーバの登録テーブル中の電話機および情報処理機器の状態を確認するための画面の例を示している。
【図１９】図１９Ａ、１９および１９Ｃは、図１２の手順と同様の手順に従って、図１４のエリア２のＩＰ携帯電話機とエリア３のＩＰ電話機の間で通話セッションを確立し、かつエリア２の複数の情報処理機器とエリア３の情報処理機器の間でＰ２Ｐ通信セッションを確立するための他の画面の例を示している。
【図２０】図２０Ａは、図２のＩＰ携帯電話機および情報処理機器による呼制御管理サーバへの登録の通信手順を示している。図２０Ｂは、図２の情報処理機器による呼制御管理サーバへの、登録された電話機および情報処理機器のセッションの状態の問い合わせの手順を示している。
【図２１】図２１Ａは、図２のＩＰ携帯電話機および情報処理機器による呼制御管理サーバへの登録の別の通信手順を示している。
【図２２】図２２は、図２のＩＰ携帯電話機による呼制御管理サーバにおける情報処理機器のデータの更新の手順を示している。
【図２３】図２３は、図２の構成において、最初のエリア１または移動先のエリア２においてＩＰ携帯電話機がＩＰネットワークを介してＩＰ電話機を呼び出して呼を確立し、その後、ＩＰ携帯電話機を所持するユーザが移動先のエリア２において情報処理機器とエリア３の情報処理機器を互いに接続させるための通信手順を示している。
【図２４】図２４は、図２の構成において、図１１、１２および２２によるＩＰ携帯電話機とＩＰ電話機の間の通信セッションの確立およびそれに関連づけられた情報処理機器の間の通信セッションの確立の後で、ユーザＣの情報処理機器が他の情報処理機器との間でＰ２Ｐ多者間通信セッションを確立するための通信手順を示している。
【符号の説明】
【０１１９】
５  ＩＰネットワーク
１０、７０  ＩＰ電話機
１２０  ＲＦ  ＩＤタグ
３０、３２、３４、８０  情報処理機器
３４０、３４２、３４４  リーダ／ライタ装置
６０  呼制御管理サーバ
【図１】
2007312345.tif 000003
【図２】
2007312345.tif 000004
【図３】
2007312345.tif 000005
【図４】
2007312345.tif 000006
【図５】
2007312345.tif 000007
【図６】
2007312345.tif 000008
【図７】
2007312345.tif 000009
【図８】
2007312345.tif 000010
【図９】
2007312345.tif 000011
【図１０】
2007312345.tif 000012
【図１１】
2007312345.tif 000013
【図１２】
2007312345.tif 000014
【図１３】
2007312345.tif 000015
【図１４】
2007312345.tif 000016
【図１５】
2007312345.tif 000017
【図１６】
2007312345.tif 000018
【図１７】
2007312345.tif 000019
【図１８】
2007312345.tif 000020
【図１９】
2007312345.tif 000021
【図２０】
2007312345.tif 000022
【図２１】
2007312345.tif 000023
【図２２】
2007312345.tif 000024
【図２３】
2007312345.tif 000025
【図２４】
2007312345.tif 000026